(57)【要約】【課題】  地球のマクロの軌道エネルギーの式はＡＪ×Ｋ÷軌道である。ＡＪ＝６．６７×１０−３５Ｊである。Ｋの値はどれだけか。地磁気と磁気の光子の関係はどのようになっているか。引力はどうしてできるか。【解決手段】  ６．６７×１０−３５Ｊ×Ｋ÷軌道＝０．７５×１０−２５Ｊ・ｍ÷軌道  の式により、Ｋ＝１．１２×１０９ｍであると理解できた。地磁気は元素が電磁石になっているのでできる。磁気の光子によって磁力線はできる。磁力線はどれ位の磁気の光子によってできたかを理解するため、電子のラブの軌道：磁気の光子の軌道＝外核の直径：磁力線  と考える。電子のラブの軌道：磁気の光子の軌道＝地球の大きさ：惑星間磁場の軌道  と考える。１×１０−９ｍの磁気の光子が惑星間磁場を作っていると考える事によって、磁力線がどれ位の軌道の磁気の光子によってできたのかを理解する。引力は光子によってできると考え、地球の引力、太陽圏の引力、物質の引力について考える。【選択図】図４
2005033998.tif 000002
【特許請求の範囲】
【請求項１】
地球の自転はどうしてできるか。
本発明者が考えている鉄元素は１個の電磁石である。
即ち、電子のラブと陽子のラブが平面上を回転し、それに垂直に、磁気の光子がクロス回転している。
電子のラブと陽子のラブの回転方向は一定方向である。
地球の自転は外核と内核に存在する鉄原子の電子のラブと陽子のラブの回転力によってできる。
地球の自転は左回りであるから、電子のラブと陽子のラブの回転方向は左回りである。
地球の自転は外核と内核に存在する鉄原子の電子のラブと陽子のラブの回転力によってできる。
【請求項２】
原子のＳ極とＮ極はどのようになっているか。
原子にもＳ極とＮ極がある。それは電流と磁場のできる方向と同じである。
電子のラブと陽子のラブの回転方向は電流の反対方向である。
即ち、電子のラブと陽子のラブが左回転すると、電流は右回転する。Ｓ極は上で、上から磁気の光子は中央に入り込みクロス回転する。
反対に、電子のラブと陽子のラブが右回転すると、電流は左回転する。Ｓ極は下で、下から磁気の光子は中央に入り込みクロス回転する。
【請求項３】
地磁気はどうしてできるか。惑星間磁場はどうしてできるか。
現在、地球は大きな磁石になっていて、北極付近にＳ極があり、南極付近にＮ極がある。自転は左まわりである。これはどうしてできるか。
外核に存在する鉄元素の電子のラブと陽子のラブは左回りである。これで自転ができる。鉄元素のＳ極はうえで、磁気の光子は上部中央から入り込み、下から磁気の光子は出るようにクロス回転しています。
クロス回転は、回転しながら進むので、コイル回転となります。
それで、鉄元素は電磁石です。
このような鉄元素がたくさんＳ極を上に、Ｎ極を下にして整然と並んでいます。
それで、外核と内核は鉄元素である電磁石の集団であり、元素達が作る磁場も大きくなります。それが地磁気です。
即ち、地磁気は外核と内核の鉄元素である電磁石によってできる総合磁場である。
惑星間磁場は地球の地殻である岩石などの元素の磁気の光子によってできるものである。地球は地殻にある元素の電子のラブと陽子のラブが左回転し、磁気の光子がクロス回転（コイル回転）することによって、電磁石になり、これらの元素がＳ極Ｎ極と整然と並んでできる、大きな電磁石になっている。
即ち、惑星間磁場は地球の地殻の元素である電磁石によってできる総合磁場である。
対流層では、元素の電子のラブが一定方向に回転していないので、磁気の光子も一定方向に回転しないので、地磁気はできない。これは太陽の対流層と同じである。
太陽の対流層では、中央で排斥放出した光子が回転しながら自分のエネルギーを減少させ、軌道を大きくし、外側に移動している。対流となっているのは、光子が回転しているからである。
【請求項４】
地磁気の軌道の大きさと惑星間磁場の軌道の大きさと、それを作っている磁気の光子の軌道の大きさについて。
磁力線は鉄元素の磁気の光子の回転によりできる。
外核の直径を電子のラブの大きさと見なし、磁気線の軌道を磁気の光子の軌道と見なす事ができる。
１万Ｋｍの磁力線の場合。
磁力線の軌道＝１０×１０６ｍ＋地球の半径＝１０×１０６ｍ＋６．３７８×１０６ｍ＝１６．３７８×１０６ｍ
地球の外核の直径＝（地球の半径−２９００Ｋｍ）×２＝（６．３７８×１０６ｍ−２．９×１０６ｍ）×２＝６．９５６×１０６ｍ
磁力線の軌道は地球の外核の直径の何倍か。
１６．３７８×１０６ｍ÷（６．９５６×１０６ｍ）＝２．３５  ２．３５倍である。
それ故、１万Ｋｍの磁力線を作っている鉄元素の磁気の光子の軌道は、
電子のラブの軌道：磁気の光子の軌道＝外核の直径：磁力線の軌道＝１：２．３５  である。
２万Ｋｍの磁力線の場合。
磁力線の軌道＝２０×１０６ｍ＋地球の半径＝２０×１０６ｍ＋６．３７８×１０６ｍ＝２６．３７８×１０６ｍ
地球の外核の直径＝６．９５６×１０６ｍ
磁力線の軌道は外核の軌道の何倍か。
２６．３７８×１０６ｍ÷（６．９５６×１０６ｍ）＝３．７９２  約３．８倍である。
それ故、２万Ｋｍの磁力線を作っている鉄元素の磁気の光子の軌道は、
電子のラブの軌道：磁気の光子の軌道＝外核の直径：磁力線の軌道＝１：３．８  である。
６万Ｋｍの磁力線の場合。
磁力線の軌道＝６０×１０６ｍ＋地球の半径＝６０×１０６ｍ＋６．３７８×１０６ｍ＝６６．３７８×１０６ｍ
地球の外核の直径＝６．９５６×１０６ｍ
磁力線の軌道は地球の外核の何倍か。
６６．３７８×１０６ｍ÷（６．９５６×１０６ｍ）＝９．５４２  ９．５４２倍である。
それ故、６万Ｋｍの磁力線を作っている鉄元素の磁気の光子の軌道は、
電子のラブの軌道：磁気の光子の軌道＝地球の軌道：磁力線の軌道＝１：９．５４  である。
このように、外側の磁力線ほどそれを作っている鉄元素の磁気の光子の軌道は大きい。
磁力線の軌道はそれを作った磁気の光子の軌道に相似である。
外側の磁力線は外核の鉄元素の磁気の光子によって作られ、内側の磁力線は内核の鉄元素の磁気の光子によって作られている。（これについては、５．で理解する。）
それで、磁力線は小さい軌道の磁力線ほどエネルギーは大きい。
これらの事によって、次のことが磁力線の定理であると理解できる。
▲１▼磁力線の軌道はそれを作った磁気の光子の軌道に相似である。
▲２▼磁力線の軌道エネルギーは内側ほど軌道エネルギーは大きい。
▲３▼内側の磁力線ほど小さな軌道の磁気の光子によって作られている。
惑星間磁場の軌道は外側の地磁気の軌道の何倍か。
地球の軌道は表面が１．８２×１０−５ｍで、外核が３×１０−７ｍであるから、（これは８番で解決する。）地球の地殻に存在する元素の電子のラブの軌道は、外核に存在する鉄元素の電子のラブの軌道より、１．８２×１０−５ｍ÷（３×１０−７ｍ）＝６．０７×１０  倍大きい。
それで、電子のラブをクロス回転する磁気の光子も大きくなっている。６０．７倍大きくなっている。
それで、惑星間磁場の軌道は外側の地磁気の軌道の６０．７倍である。
外側の地磁気を６万Ｋｍの磁力線とすると、惑星間磁場の軌道は、６６．３７８×１０６ｍ×６０．７＝４．０３×１０９ｍである。
惑星間磁場は地球の地殻の磁気の光子の回転によってできる。
地球の大きさを電子のラブの軌道と見なし、惑星間磁場の軌道を磁気の光子の軌道と見なす事ができる。
惑星間磁場の軌道は地球の大きさの何倍か。
地球の大きさは、２×６．３７８×１０６ｍであるから、
４．０３×１０９ｍ÷（２×６．３７８×１０６ｍ）＝３．１６×１０２倍である。
それ故、惑星間磁場を作っている、地殻の元素の磁気の光子の軌道は、
地殻の元素の電子のラブの軌道：地殻の元素の磁気の光子の軌道＝地球の大きさ：惑星間磁場の軌道＝１：３．１６×１０２  である。
この事は、惑星間磁場を作っている磁気の光子の軌道は、岩石の電子のラブの軌道が１０−１１ｍであるなら、３．１６×１０−９ｍであるということである。
惑星間磁場は地殻に存在する元素の磁気の光子によってできる事が証明できた。
地殻の元素は惑星間磁場を作る事が証明できた。
地球の地殻に存在する元素の電子のラブと陽子のラブは一定方向に左回転している事が証明できた。
そして、磁気の光子は上から中央に入り込み、クロス回転（＝コイル回転）している。
それで、地殻の元素は惑星間磁場を作る事ができる。
この事によって、地磁気と惑星間磁場は磁気の光子のクロス回転（＝コイル回転）によってできる事が証明できた。
元素にはクロス回転する磁気の光子が存在する事が証明できた。
できた磁力線の軌道や惑星間磁場の軌道とそれを作った磁気の光子の軌道は相似になる事が証明できた。
磁力線の定理を理解できた。
【請求項５】
惑星間磁場の軌道と地磁気の軌道を作った磁気の光子の軌道とエネルギーについて。
電子のラブの軌道と磁気の光子の軌道の大きさは、それが存在する軌道に左右される。
小さい軌道に存在すると、電子のラブの軌道と磁気の光子の軌道の大きさは小さい。
外核の大きさを１とすると、惑星間磁場の軌道：６万Ｋｍの地磁気の軌道：２万Ｋｍの地磁気の軌道：１万Ｋｍの地磁気の軌道＝５７９：９．５４：３．８：２．３５である。
それで、惑星間磁気を作った磁気の光子の軌道：６万Ｋｍの地磁気を作った磁気の光子の軌道：２万Ｋｍの地磁気を作った磁気の光子の軌道：１万Ｋｍの地磁気を作った磁気の光子の軌道＝５７９：９．５４：３．８：２．３５である。
地球上の元素の最大磁気の光子の軌道（＝最大特性Ｘ線の軌道）は、約１×１０−９ｍである。
この軌道は惑星間磁場を作った、地殻に存在する元素の磁気の光子の軌道である。
それで、惑星間磁場を作った磁気の光子の軌道：６万Ｋｍの地磁気を作った磁気の光子の軌道：２万Ｋｍの地磁気を作った磁気の光子の軌道：１万Ｋｍの地磁気を作った磁気の光子の軌道＝５７９：９．５４：３．８：２．３５＝１×１０−９ｍ：１．６５×１０−１１ｍ：６．５６×１０−１２ｍ：４．０６×１０−１２ｍである。
エネルギーは軌道分の１である。
惑星間磁気の軌道エネルギー：６万Ｋｍの地磁気の軌道エネルギー：２万Ｋｍの地磁気の軌道エネルギー：１万Ｋｍの地磁気の軌道エネルギー＝１÷５７９：１÷９．５４：１÷３．８：１÷２．３５＝０．００１７２７：０．１０４８：０．２６３：０．４２６＝１．７２７：１０４．８：２６３：４２６＝１：６０．７：１５２．３：２４６．７である。
軌道エネルギー＝１．１×１０−４１Ｊ・ｍ÷軌道で計算すると、
１．１×１０−４１Ｊ・ｍ÷１０−９ｍ＝１．１×１０−３２Ｊ
１．１×１０−４１Ｊ・ｍ÷（１．６５×１０−１１ｍ）＝６．６７×１０−３１Ｊ
１．１×１０−４１Ｊ・ｍ÷（６．５６×１０−１２ｍ）＝１．６８×１０−３０Ｊ
１．１×１０−４１Ｊ・ｍ÷（４．０６×１０−１２ｍ）＝２．７１×１０−３０Ｊ  である。
それで、太陽風は惑星間磁気は通過するけれども、地磁気は通過できない。
これを表にする。
2005033998.tif 000007
2005033998.tif 000008
本発明者は特願２００２−２３４１２５の「熱二」の
【請求項１０】
において、固体の分子の半径：液体の分子の半径：気体の分子の半径＝１：１．７３５：３  である。と理解した。
それで、６万Ｋｍの地磁気を作っている鉄は液体であり、１．６５×１０−１１ｍであるから、これが固体になると、１．６５×１０−１１ｍ÷１．７３５＝９．５１×１０−１２ｍである。
それで、２万Ｋｍの地磁気と１万Ｋｍの地磁気を作った磁気の光子の軌道は９．５１×１０−１２ｍより小さいので、固体の鉄によってできた。
９．５１×１０−１２ｍの磁気の光子が作る地磁気の軌道はどれ位か。
外核の直径のｘ倍とする。
１×１０−９ｍ：９．５１×１０−１２ｍ＝５７９：ｘ  ｘ＝５．５
外核の直径は６．９５６×１０６ｍであるから、軌道は、
６．９５６×１０６ｍ×５．５＝３８．２５８×１０６ｍ  である。
この磁力線は、地上何ｍの磁力線か。
３８．２５８×１０６ｍ−地球の半径＝３８．２５８×１０６ｍ−６．３７８×１０６ｍ＝３１．８８×１０６ｍ
地上３１．８８×１０６ｍの磁力線である。
３１．８８×１０６ｍより高い地磁気は外核の鉄元素の磁気の光子の回転によってできた。
３１．８８×１０６ｍより低い地磁気は内核の鉄元素の磁気の光子の回転によってできた。
【請求項６】
地磁気のＳ極とＮ極が何万年という周期で入れ替わるのはどうしてか。
太陽系は銀河系の中心を軸に回転している。それで、地球も銀河系の中心を軸に回転する。現在、地球のＳ極は常に北極星を向いて回転している。
北極星は銀河系の内側の軌道を回転している。
それで、北極星が銀河系の軌道を半回転すると、地球も銀河系の軌道を半回転し、地球のＳ極は逆向きとなる。
それで、鉄原子の磁気の光子の回転方向は逆になり、Ｓ極とＮ極は入れ替わる。
その結果、地磁気のＳ極とＮ極は入れ替わる。
地球が銀河系の軌道を半回転する周期が何万年である。
【請求項７】
輻射熱はどのようにできるか。
輻射熱は、地球の内部になるほど軌道は小さいので、外側の磁気の光子は排斥される、その排斥放出した光子は自分のエネルギーの軌道に存在し回転している。
地球のマントルが対流しているのは、そこに存在する光子が回転しているからである。
同じ現象が太陽の対流層でも現れている。太陽の中で排斥、放出した光子が回転しながら存在する。それで、対流層は回転層になっている。
排斥放出した光子は自分のエネルギーを減少させながら、表面に出てくる。
そして、地球の表面から出た光子が輻射熱である。
太陽の表面から出た光子も太陽の輻射熱である。
光子は排斥放出後は回転している。１秒間に３×１０８ｍ回転すると仮定する。
そして、５×１．１２×１０９ｍ回転するとエネルギーを１／１０に減少させる。
即ち、軌道を１０倍にするためには、５×１．１２×１０９ｍ÷（３×１０８ｍ）＝１．８６７×１０  秒かかる。約２０秒で軌道を１０倍大きくする。
それで、地球の外核でできた光子は３×１０−７ｍで、地表では１．８２×１０−５ｍであるから、１．８２×１０−５ｍ÷（３×１０−７ｍ）＝６０  倍である。地表までには、６×２０秒＝１２０秒＝２分かかる。
太陽の場合は、中央で核融合反応がおき、その軌道は１０−１６ｍであるとし、表面の軌道を１０−１０ｍとしますと、１０６倍である。
それで、１０５×２０秒＝２×１０６秒＝２３．１４８日    かかって表面に出る。
しかし、回転する場合は、走る場合と比べ、エネルギーの消耗は少ないでしょうから、これは間違いでしょう。時間はもっとかかるでしょう。
【請求項８】
地球の軌道に於ける光子１個のエネルギーと引力はどれ位か。
地球の外核は鉄が融解している。
鉄は赤く見える場合、波長は、６〜７×１０−７ｍです。軌道は３〜３．５×１０−７ｍです。
鉄が黄色に見える場合、波長は５×１０−７ｍです。軌道は２．５×１０−７ｍです。
この中間をとって、軌道を３×１０−７ｍとします。
外核の軌道は３×１０−７ｍです。
エネルギーは、１．１×１０−４１Ｊ・ｍ÷（３×１０−７Ｊ）＝３．６７×１０−３５Ｊ  です。
外核は地下２９００Ｋｍ〜５２００Ｋｍで、その軌道は３×１０−７ｍで、エネルギーは３．６７×１０−３５Ｊです。
地球の表面は輻射熱ですから、その温度を２５℃であると仮定します。理由は、地表の水の温度が２５℃であるからです。
２５＋２７３＝２９８（Ｋ）
１Ｋ＝１．３８×１０−２３Ｊ  これは原子のエネルギーであるから（電子のラブや陽子のラブやニュートリノの軌道エネルギーであるから）、光子のエネルギーはこのエネルギーの、１．１×１０−４１Ｊ・ｍ÷（０．７５×１０−２５Ｊ・ｍ）＝１．４６７×１０−１６  倍である。
２９８Ｋのエネルギーは、
２９８×１．３８×１０−２３Ｊ×１．４６７×１０−１６＝６．０３３×１０−３７Ｊ  である。
この軌道は、１．１×１０−４１Ｊ・ｍ÷（６．０３３×１０−３７Ｊ）＝１．８２３×１０−５ｍ  である。
それで、地球の表面の磁気の光子の軌道は１．８２×１０−５ｍでエネルギーは６×１０−３７Ｊである。
引力は、６×１０−３７Ｎ・ｍである。
外核（地球の半径−地下２．９×１０６＝６．３７８×１０６ｍ−２．９×１０６ｍ＝３．４７８×１０６ｍ）の磁気の光子の軌道は３×１０−７ｍでエネルギーは３．６７×１０−３５Ｊである。
引力は３．６７×１０−３５Ｎ・ｍである。
【請求項９】
地球に於ける引力（重力）はどうしてできるか。
地球の引力（重力）は下の方向に働きます。引力は光子の進行方向の反対方向に働きますから、引力は地球から上の方向に走る光子によってできます。地球から上の方向に走る光子は地球の輻射熱です。それで、地球の引力は輻射熱でできると考えます。
地球の中央程高エネルギーである。それで、地球の表面から輻射熱が出発する。
この輻射熱が引力となっている。
１Ｋｇでできる引力は（６．６２×１０−１１）１／２Ｎである。
１Ｋｇ１ｍでできるエネルギーは（６．６２×１０−１１）１／２Ｊ＝８．１６×１０−６Ｊである。
１Ｋｇに何個の原子が存在するか。
陽子の静止質量＝１．６７２６５×１０−２７Ｋｇ
中性子の静止質量＝１．６７４９５×１０−２７Ｋｇ
電子の静止質量＝９．１×１０−３１Ｋｇ  です。
１原子で、３．３４８５１×１０−２７Ｋｇ  です。
１Ｋｇの中に原子は、１÷（３．３４８５１×１０−２７）＝２．９８６４０２×１０２６個存在します。約３×１０２６個の原子で１Ｋｇです。
３×１０２６個の原子が８．１６×１０−６Ｊの磁気の光子を放出している。
１個の原子からは、（８．１６×１０−６）Ｊ÷（３×１０２６）個＝２．７２２×１０−３２Ｊ  の磁気の光子が放出し、引力になっています。
Ａ、輻射熱によって引力はできる。図８．
地面から放出する光子のエネルギーはどれ位か。
輻射熱を２５℃とした場合。（なぜなら地面の水温は約２５℃であるから。）
２５℃＋２７３＝２９８（Ｋ）
１Ｋ＝１．３８×１０−２３Ｊ  これは原子の軌道のエネルギーである。
光子１個のエネルギーはこのエネルギーの、
１．１×１０−４１Ｊ・ｍ÷（０．７５×１０−２５Ｊ・ｍ）＝１．４６７×１０−１６  倍であるから、２９８Ｋのエネルギーは、
２９８×１．３８×１０−２３Ｊ×１．４６７×１０−１６＝６．０３３×１０−３７Ｊ  である。
この軌道は、１．１×１０−４１Ｊ・ｍ÷（６．０３３×１０−３７Ｊ）＝１．８２３×１０−５ｍ  である。
輻射熱の光子１個のエネルギーは６×１０−３７Ｊで、軌道は１．８２×１０−５ｍである。
輻射熱の光子１個の引力は、６×１０−３７Ｊ＝６×１０−３７Ｎ・ｍである。
１原子から６×１０−３７Ｊの光子は何個放出するか。
２．７２×１０−３２Ｊ÷（６×１０−３７Ｊ）＝４．５３×１０４
１原子から１秒間に４．５３×１０４個放出する。
１Ｋｇから４．５３×１０４個×３×１０２６＝１３．５９×１０３０個  放出する。
１Ｋｇから放出するエネルギーは、１３．５９×１０３０個×６×１０−３７Ｊ＝８．１５４×１０−６Ｊである。
よって、１原子から１秒間に、６×１０−３７Ｊの光子が４．５３×１０４個放出する輻射熱が引力をつくる。
【請求項１０】
Ｋ＝１．１２×１０９ｍの場合、宇宙の軌道に存在する（存在した）星の外側の磁気の光子１個のエネルギーと引力はどれ位か。
それでは、宇宙の引力はどのようになっているのか。
本発明者は、２００４年６月１１日提出の特許願２００４−２０２４９６において、Ｋを求めた。
地球のマクロの軌道エネルギーの式は、ＡＪ×Ｋ÷軌道  である。
地球の場合、ＡＪ＝６．６７×１０−３５Ｊである。
地球の原子の軌道エネルギーの式＝０．７５×１０−２５Ｊ・ｍ÷軌道  である。
それで、
ＡＪ×Ｋ÷軌道＝６．６７×１０−３５Ｊ×Ｋ÷軌道＝０．７５×１０−２５Ｊ・ｍ÷軌道
Ｋ＝０．７５×１０−２５Ｊ・ｍ÷（６．６７×１０−３５Ｊ）＝１．１２４×１０９ｍ  である。
それで、Ｋ＝１．１２×１０−９ｍとし、宇宙の軌道に存在する星から出発する光子（＝星の外側の磁気の光子）１個のエネルギーを算出し、その引力と水素の大きさとマクロの軌道エネルギーを求める式を理解する。ニュートリのエネルギーと引力を理解する。
【請求項１１】
Ｋ＝１．１２×１０９ｍの場合、１４０億年代のクエーサーから出発した光子は、地球に到着したとき、どれ位のエネルギーになるか。
ＡＪ×Ｋ÷（２×走った距離）＝４．０９２×１０−１８Ｊ×１．１２×１０９ｍ÷（２×２７．３９２×１０２４ｍ）＝８．３７×１０−３５Ｊ  である。
この事から、Ｋ＝１．１２×１０９ｍは正しい値である。
ＡＪ×Ｋ÷（２×走った距離）でＫを求めると、
４．０９２×１０−１８Ｊ×Ｋ÷（２×２７．３９２×１０２４ｍ）＝６．６７×１０−３５Ｊ
Ｋ＝６．６７×１０−３５Ｊ÷（４．０９２×１０−１８Ｊ）×２×２７．３９２×１０２４ｍ−８．９３×１０８である。
（８．９３×１０８）１／２ｍ≒３×１０４ｍ  である。
【請求項１２】
Ｋ＝１．１２×１０９ｍであるのに、どうして、Ｋ＝（９×１０９）１／２＝９．４８７×１０４（ｍ）と考えられているのか。
それは、太陽から光子がやってくる。地球からも地熱である光子が放出しているからである。
光子の走る方向が反対である。それで、力の方向も反対方向である。それで力は半減する。エネルギーは半減する。
エネルギー＝ＡＪ×Ｋ÷軌道  であるから、Ｋは半減した値として認められる。
即ちＫは、Ｋ１／２の値として認められる。
地球から出発する光子のエネルギーだけを考え、又は、太陽から出発する光子だけを考え、拮抗している事を考えないと、Ｋ１／２の値となる。
地球から出発する光子のエネルギー（引力）と太陽からの光子のエネルギー（引力）が拮抗して働いている事を考慮すると、Ｋの値になる。
地球から出発する光子と、太陽から出発する光子は力を拮抗させて、Ｋ１／２になっている。
本発明者の計算では、
Ｋ１／２＝（１．１２×１０９ｍ）１／２＝３．３７×１０４ｍ  であるが、この値が９．４８７×１０４ｍとして認められている。
【請求項１３】
パルサーから放射している光子はどうしてできるか。
中性子の構造は陽子のラブの軌道の近くを電子のラブが回転しています。
電子のラブと陽子のラブの回転面に垂直方向に磁気の光子はクロス回転しています。
パルサーはこの中性子がＳ極Ｎ極Ｓ極Ｎ極と整然と並びます。
電子のラブと陽子のラブの回転方向にパルサーは自転します。
排斥、放出した磁気の光子は自転に垂直方向に出て行きます。
これがパルサーから放射している光子です。
パルサーの磁気の光子のエネルギーは大きいので、放射している光子のエネルギーは大きいです。それで光線として見られます。
パルサーは電子のラブの軌道が１０−１４ｍと成った中性子ですから、そのエネルギーは太陽の１０−１１÷１０−１４＝１０３倍です。
もし、パルサーが１０ｎ年以前の軌道にいるとしたならば、軌道のエネルギーは太陽の軌道のエネルギーの、１０３２−２７＋ｎ倍であるから、パルサーのエネルギーは太陽のエネルギーの、１０３２−２７＋ｎ＋３＝１０８＋ｎ  倍である。
中性子も１個の電磁石です。
中性子星は中性子がたくさん集まって、エネルギーの大きな電磁石になります。それで、磁場ができます。地磁気のような磁場ができます。
【請求項１４】
クエーサーから噴出しているジェット噴射はどうしてできるか。
宇宙の初めほど高エネルギーです。
陽子のラブが回転することによって、陽子のニュートリノができました。陽子のラブと陽子のニュートリノが回転し、陽子の磁気の光子ができました。これを▲１▼とします。
電子のラブが回転する事によって電子のニュートリノができました。電子のラブと電子のニュートリノが回転して、電子の磁気の光子ができました。これを▲２▼とします。
陽子の磁気の光子に、電子の磁気の光子が引き付けられました。
それで、▲１▼の周囲を、▲２▼が回転しました。
水素ができました。
水素が集まってクエーサーができました。電子のラブと陽子のラブは回転します。この回転力がクエーサーを自転させました。
クエーサーの中央のエネルギーは一番高くなり、軌道は小さくなりました。中央で、たくさんの高エネルギーの磁気の光子が排斥されます。この高エネルギーの光子は自転に垂直の方向に進みます。これがジェット噴射です。
クエーサーができた１４０億年代の磁気の光子１個のエネルギーは、３．２６×１０−１８Ｊである。
太陽の磁気の光子１個のエネルギーは、１．７８７×１０−３２Ｊである。
それで、クエーサーのエネルギーは太陽のエネルギーの、３．２６×１０−１８Ｊ÷（１．７８７×１０−３２Ｊ）＝１．８２×１０１４倍である。
それで、ジェット噴射する光子のエネルギーは、太陽から出発する光子のエネルギーの１．８２×１０１４倍以上である。
【請求項１５】
太陽圏の引力はどのようであるか。
太陽から出発する光子は太陽の輻射熱であるといえる。これが太陽圏の引力となっている。
Ｋ＝１．１２×１０９ｍであるから、太陽から出発した光子のエネルギー（＝ＡＪ）は、
Ｅ＝ＡＪ×１．１２×１０９ｍ÷（走った距離×２）であるから、
地球には、１．５×１０１１ｍ走って、６．６７×１０−３５Ｊになるから、
６．６７×１０−３５Ｊ＝ＡＪ×１．１２×１０９ｍ÷（１．５×１０１１ｍ×２）
ＡＪ＝１．７８７×１０−３２Ｊ  である。
この軌道は、１．１×１０−４１Ｊ・ｍ÷（１．７８７×１０−３２Ｊ）＝６．１６×１０−１０ｍ  である。
太陽から出発する光子のエネルギーは、１．７８７×１０−３２Ｊで、軌道は６．１６×１０−１０ｍである。
それで、太陽と惑星の距離が解ると惑星に到着する光子のエネルギーが解る。
惑星に到着する光子１個のエネルギーが引力である。
この値と地球における光子１個の引力を比較する。
惑星に到着する光子のエネルギーは、、
Ｅ＝太陽から出発する光子のエネルギー×Ｋ÷（２×太陽と惑星の距離）である。
例えば、冥王星の場合。
冥王星と太陽の距離は５９．１５２×１０１１ｍであるから、
１．７８７×１０−３２Ｊ×１．１２×１０９ｍ÷（２×５９．１５２×１０１１）＝１．６９２×１０−３６Ｊ  になる。
１．６９２×１０−３６Ｊ＝１．６９２×１０−３６Ｎ・ｍで冥王星を引いている
太陽圏の引力の法則。
太陽の惑星に対する引力は、太陽から出発した光子が惑星に到着した光子のエネルギーである。
惑星の引力は惑星から出発する光子のエネルギーである。
惑星から出発する光子のエネルギーは、惑星に於ける気温である。
それは、太陽から到着する光子のエネルギーである。
よって、太陽から惑星に到着した光子のエネルギー＝惑星から出発する光子のエネルギー。
それ故、太陽が惑星に対する引力＝惑星の引力。であり、引力はつり合っている。
地球から出発する磁気の光子のエネルギーは輻射熱であり、２５℃とすると、６．０３３×１０−３７Ｊであり、引力は６．０３３×１０−３７Ｎ・ｍである。
これは太陽が冥王星に及ぼす引力より小さい。
冥王星に及ぼす引力の、
６．０３３×１０−３７÷（１．６９２×１０−３６）＝０．３５７  倍である。
【請求項１６】
物質１Ｋｇでできる引力はどのようにできるか。
本発明の９．に示したように、１個の原子から２．２７２×１０−３２Ｊの磁気の光子が放出している。
原子は陽子のラブと電子のラブが回転し、磁気の光子がクロス回転する事によって１つの電磁石になっている。
それで、１個の原子から毎秒２．７２２×１０−３２Ｊの磁気の光子が放出される。
この磁気の光子のエネルギーが引力になる。磁気の光子が走る逆方向に力が働く。それが引力である。
１個の原子から２．７２２×１０−３２Ｊのエネルギーが放出されるけれど、光子が１個だけ放出するのではない。
２．７２２×１０−３２Ｊの光子の軌道は、
１．１×１０−４１Ｊ・ｍ÷（２．７２２×１０−３２Ｊ）＝２．９９４２×１０−１０ｍ  である。
これはＸ線である。この光子は放出しない。
例えば、鉛の場合、放出する光子は、鉛元索の外側を回転する光子である。
鉛元素の外側を回転する光子は、鉛元素のＰ電子殻をクロス回転する特性Ｘ線よりもっと外側を回転する光子である。
鉛元素のＭ系特性Ｘ線１は０．６７４×１０−９ｍの波長である。０．３３７×１０−９ｍの軌道である。
この光子は放出しない。
放出するのはもっとエネルギーの小さな、軌道の大きい光子である。
それは、分子の外側を回転する光子である。
物質から放出する光子が目に入る。物質から放出する光子は可視光である。
３〜７×１０−７ｍの波長の光子である。軌道は１．５〜３．５×１０−７ｍの光子である。
約２．５×１０−７ｍの軌道の光子である。
エネルギーは、１．１×１０−４１Ｊ・ｍ÷（２．５×１０−７ｍ）＝４．４×１０−３５Ｊである。
これらの光子が引力になっている。
鉛は８２原子でできているから、１元素の鉛から放出するエネルギーは、
８２×２．７２２×１０−３２Ｊである。
このエネルギーは４．４×１０−３５Ｊの光子が何個でできるエネルギーか。
８２×２．７２２×１０−３２Ｊ÷（４．４×１０−３５Ｊ）＝５．０７３×１０４個  でできる。
１原子からは、何個放出するか。
２．７２２×１０−３２Ｊ÷（４．４×１０−３５Ｊ）＝６．１８６×１０２  個放出する。
それで、１原子から１秒間に、
４．４×１０−３５Ｊの光子の場合、６．１８６×１０２個の光子が放出している。
原子の中では、電子のラブが回転し、１秒間に、６．１８６×１０２個の磁気の光子を作っている。
電子のラブは引力となっている磁気の光子を作っている。
この事を説明する。これは光子が一定の引力を作っているメカニズムである。
電子のラブが作っている磁気の光子のエネルギーは非常に高い。この磁気の光子が自分のエネルギーを減少させ、軌道を大きくさせ、次第に軌道の大きな殻をクロス回転するようになる。それから、原子の外に出る。そして更に自分のエネルギーを減少させ、自分の軌道を大きくする。そして、ある一定の軌道になったとき、原子の外に出る。この光子が引力になる。原子の外に出る光子を‘引力を作るために出発する光子’と名づける。
【発明の詳細な説明】
【技術分野】
【０００１】  この発明は、電子のラブと陽子のラブの回転と、クロス回転する磁気の光子でできるものに関する、それは磁場であり磁力線である、引力である。磁場と磁力線は磁気の光子の回転と相似にできる。引力は磁気の光子が排斥放出し、光子と成り、走る方向の反対方向にできる。この原理によって以下の事が解決できる。地球の自転。地磁気と惑星間磁場。地球の引力（重力）。地球の軌道における光子１個のエネルギーと引力。輻射熱。宇宙の軌道に存在する星の外側の光子１個のエネルギーと引力。パルサー、クエーサー。太陽圏の引力。物質１Ｋｇでできる引力。
【背景技術】
【０００２】  従来、地球の自転はどのようにできるか明らかにされていない。地球の地磁気は外核の自転によるとするダイナモ説が有力である。
地球の引力は地球の質量によってできると考えられている。
地球の軌道に於ける光子１個のエネルギーと引力については解らない。
６月１１日、本発明者はＫについて考えたが、正解は出ていない。
パルサーから放出している光線と磁場がどのようにできるか解明されていない。
クエーサーから噴出するジェット噴射がどのようにしてできるのか解明されていない。
太陽圏の引力はどのようになっているか解明されていない。
物質１Ｋｇでできる引力はどのようにできるのか解明されていない。
【本発明が解決しようとする課題】
【０００３】１．地球の自転はどうしてできるか。
２．原子のＳ極Ｎ極はどのようになっているか。
３．地磁気はどうしてできるか。惑星間磁場はどうしてできるか。
４．地磁気の軌道の大きさと惑星間磁場の軌道の大きさと、それを作っている磁気の光子の軌道の大きさについて。
５．惑星間磁場の軌道と地磁気の軌道を作った磁気の光子の軌道とエネルギーについて。
６．磁気はＳ極とＮ極が何万年という周期で入れ替わるのはどうしてか。
７．輻射熱はどうしてできるか。
８．地球の軌道に於ける光子１個のエネルギーと引力はどのようであるか。
９．地球に於ける引力はどうしてできるか。
１０．  Ｋ＝１．１２×１０９ｍの場合、宇宙の軌道に存在する（存在した）星の外側の光子１個のエネルギーと引力と水素の大きさはどのようであるか。
１１．  Ｋ＝１．１２×１０９ｍの場合、１４０億年代のクエーサーから出発した光子は地球に到着したとき、どれ位のエネルギーになるか。
１０．Ｋ＝１．１２×１０９ｍであるのに、どうして、Ｋ＝（９×１０９）１／２＝９．４８７×１０４（ｍ）と考えられているのか。
１１．パルサーから放射している光子はどうしてできるか。
１２．クエーサーから噴出しているジェット噴射はどうしてできるか。
１３．太陽圏の引力はどのようであるか。
１４．物質１Ｋｇでできる引力はどのようにできるか。
【課題を解決するための手段】
【０００４】１．地球の自転はどうしてできるか。
地球の自転は一定方向に回転する力によってできる。
外核の鉄は電磁石のようになっている。鉄の元素はＳ極Ｎ極Ｓ極Ｎ極と整然と並んでいる。電子のラブと陽子のラブは一定方向に回転している。この回転力が地球の自転と成っている。
現在、地球は左回りである。電子のラブと陽子のラブは左回りである。
２．元素のＳ極Ｎ極はどのようになっているか。
元素１個は電磁石１個になっている。それで、電子のラブと陽子のラブが左回りに回転すると電流は右回りとなる。それで、Ｓ極は上で、磁気の光子は上から中央に入り込みクロス回転している。
３．地磁気はどうしてできるか。惑星間磁場はどうしてできるか。
鉄元素は１個の電磁石である。
外核と内核の鉄元素は１個の電磁石である。たくさんの鉄元素が集まって大きな電磁石になる。
鉄元素が１つの電磁石である原理は、電子のラブと陽子のラブは左回りに回転している。それで、電流は右回りである。それによって、上がＳ極になり、下がＮ極になる。磁気の光子は上から中央に入り込み、クロス回転する。この事によって、鉄元素は１つの電磁石に成っている。
このような鉄元素がたくさんＳ極を上に、Ｎ極を下にして整然と並んでいる。
それで、外核と内核は鉄元素の集団であり、元素達が作る磁場も大きくなります。それが地磁気です。
即ち、地磁気は、外核と内核の鉄元素の磁気の光子がクロス回転（コイル回転）してできる総合磁場である。
惑星間磁場は地球の地殻である岩石などの元素の磁気の光子によってできるものである。惑星間磁場は地球の地殻の元素の磁気の光子がクロス回転（コイル回転）してできる総合磁場である。
４．地磁気の軌道の大きさと惑星間磁場の軌道の大きさと、それを作っている磁気の光子の軌道の大きさについて。
磁力線は鉄元素の磁気の光子の回転によりできる。
鉄元素の集合体である外核を電子のラブの軌道とみなし、磁力線を磁気の光子の軌道とみなす。
それで、電子にラブの軌道：磁気の光子の軌道＝外核の直径：磁力線の軌道  である。
このことによって、磁力線を作っている磁気の光子の軌道を理解できる。
例えば、１万Ｋｍの磁力線の場合。
磁力線の軌道＝１０×１０６ｍ＋地球の半径＝１０×１０６ｍ＋６．３７８×１０６ｍ＝１６．３７８×１０６ｍ
地球の外核の直径＝（地球の半径−２９００Ｋｍ）×２＝（６．３７８×１０６ｍ−２．９×１０６ｍ）×２＝６．９５６×１０６ｍ
磁力線の軌道は地球の外核の直径の何倍か。
１６．３７８×１０６ｍ÷（６．９５６×１０６ｍ）＝２．３５  ２．３５倍である。
それ故、１万Ｋｍの磁力線を作っている鉄元素の磁気の光子の軌道は、
電子のラブの軌道：磁気の光子の軌道＝外核の直径：磁力線の軌道＝１：２．３５  である。
このように、磁力線の軌道は外核の直径の何倍かを知る事によって、電子のラブの軌道を１とし、磁気の光子の軌道の大きさの比較ができる。
惑星間磁場は地殻の元素の磁気の光子の回転によりできる。
地球の地殻を電子のラブの軌道と見なし、惑星間磁場を磁気の光子の軌道と見なす。
それで、電子のラブの軌道：磁気の光子の軌道＝地球の地殻大きさ：惑星間磁場の軌道  である。
そして、地球の地殻の軌道と外核の軌道を比較する。（これは地球の中の軌道を求める事によって理解できる。）それによって、惑星間磁場の軌道を知る。
５．惑星間磁場の軌道と地磁気の軌道を作った磁気の光子の軌道とエネルギーについて。
惑星間磁場及び地磁気の軌道が外核の大きさの何倍かを理解する事によって、それらを作った磁気の光子の軌道の大きさを比較できる。
そして、惑星間磁場を作ったのが、地上の元素の磁気の光子であり、この軌道は約１０−９ｍである。それで、地磁気を作った磁気の光子の軌道が理解できる。
６．磁気はＳ極とＮ極が何万年という周期で入れ替わるのはどうしてか。
太陽系は銀河系の中心を軸に回転している。
太陽系が半回転すると地球も半回転する。地球のＮ極は常に北極星を向いて回転している。北極星は銀河系の内側の軌道を回転している。
それで、北極星が銀河系の周囲を半回転すると、地球も銀河系の周囲を半回転し、地球のＮ極は逆向きになる。
それで、鉄元素のＮ極とＳ極は逆になるので、磁気の光子の回転方向は逆になり、地磁気のＳ極とＮ極は入れ替わる。地球が銀河系を半回転する周期が何万年である。
７．輻射熱はどうしてできるか。
輻射熱は地球の内部で排斥し、放出した磁気の光子が、自分のエネルギーを減少しながら、軌道を大きくしながら、大きな軌道に移動することによって、地表に出てくる光子である。マントルが回転しているのは、排斥放出した光子が回転しているからである。
光子は排斥放出後は回転している。１秒間に３×１０８ｍ回転すると仮定する。
そして、５×１．１２×１０９ｍ回転するとエネルギーを１／１０に減少させる。
即ち、軌道を１０倍にするためには、５×１．１２×１０９ｍ÷（３×１０８ｍ）＝１．８６７×１０  秒かかる。約２０秒で軌道を１０倍大きくする。
それで、地球の外核でできた光子は３×１０−７ｍで、地表では１．８２×１０−５ｍであるから、１．８２×１０−５ｍ÷（３×１０−７ｍ）＝６０  倍である。地表までには、６×２０秒＝１２０秒＝２分かかる。
８．地球の軌道に於ける光子１個のエネルギーと引力はどれ位か。
地球の外核は鉄が融解しているので、赤や黄色の可視光のエネルギーである。
地球の表面は輻射熱である。このことから地球の軌道に於ける光子１個のエネルギーと引力が解る。
９．地球に於ける引力（重力）はどうしてできるか。
地球の引力（重力）は下向きにはたらく。これは上向きに走る光子によってできる力である。地球の輻射熱や気温の光子が出発している事によってできる。
地球の中から放出する光子は、表面では輻射熱となっている。このエネルギーは一定である。なぜなら、地球の中で排斥放出するエネルギーは一定であるからである。輻射熱を２５℃として（地下の水は約２５℃であるから）、輻射熱の光子１個のエネルギーを求める。１原子から出発する光子の数を求める。１Ｋｇから出発する光子の数を求める。
北極や南極の温度と赤道の温度は異なる。地表からは輻射熱は温度の熱となって出発する。それで、地表から出発する温度の光子１個のエネルギー×１Ｋｇから出発する光子の数が１Ｋｇの引力になる。
１０．  Ｋ＝１．１２×１０９ｍの場合、宇宙の軌道に存在する（存在した）星の外側の磁気の光子１個のエネルギーと引力はどれ位か。
それでは、宇宙の引力はどのようになっているのか。
本発明者は、２００４年６月１１日に提出の特許願２００４−２０２４９６において、Ｋを求めた。
地球のマクロの軌道エネルギーの式は、ＡＪ×Ｋ÷軌道  である。
地球の場合、ＡＪ＝６．６７×１０−３５Ｊである。
地球の原子の軌道エネルギーの式＝０．７５×１０−２５Ｊ・ｍ÷軌道  である。
それで、
ＡＪ×Ｋ÷軌道＝６．６７×１０−３５Ｊ×Ｋ÷軌道＝０．７５×１０−２５Ｊ・ｍ÷軌道
Ｋ＝０．７５×１０−２５Ｊ・ｍ÷（６．６７×１０−３５Ｊ）＝１．１２４×１０９ｍ  である。
Ｋ＝１．１２×１０−９ｍとし、宇宙の軌道に存在する星から出発する光子（＝星の外側の光子）１個のエネルギーを算出し、その引力と水素の大きさとマクロの軌道エネルギーを求める式を理解する。ニュートリノ１個のエネルギーと引力を理解する。
１１．  Ｋ＝１．１２×１０９ｍの場合、１４０億年代のクエーサーから出発した光子は、地球に到着したとき、どれ位のエネルギーになるか。
５×Ｋ走ると光子のエネルギーは１／１０に減少する。
１４０億年代（１４０億年から１５０億年まで）までに走った総距離は、２７．３９２×１０２４ｍである。
１４０億年代の光子１個のエネルギーは４．０９２×１０−１８Ｊである。
それで、２７．３９２×１０２４ｍ走ると、光子のエネルギーは、
２７．３９２×１０２４ｍ÷（５×１．１２×１０９ｍ）＝４．８９１４×１０１５で、１÷（４．８９１４×１０１５×１０）倍に減少します。
それで、エネルギーは、
４．０９２×１０−１８Ｊ÷（４．８９１４×１０１６）＝８．３７×１０−３５Ｊ  である。
よって、Ｋ＝１．１２×１０９ｍは正しい。
１２．Ｋ＝１．１２×１０９ｍであるのに、どうして、Ｋ＝（９×１０９）１／２＝９．４８７×１０４（ｍ）と考えられているのか。
それは、太陽から光子がやってくる。地球からも地熱である光子が放出しているからである。
光子の走る方向が反対である。それで、力の方向も反対方向である。それで力は半減する。エネルギーは半減する。
エネルギー＝ＡＪ×Ｋ÷軌道  であるから、Ｋは半減した値として認められる。
即ちＫは、Ｋ１／２の値として認められる。
地球から出発する光子のエネルギー（引力）を考えない、又は、太陽からのエネルギー（引力）を考えないと、即ち拮抗していることを考えないと、Ｋ１／２の値となる。
地球から出発する光子のエネルギー（引力）と太陽からのエネルギー（引力）を考慮すると、即ち拮抗している事を考えると、Ｋの値になる。
地球から出発する光子と、太陽から出発する光子は力を拮抗させて、Ｋ１／２になっている。
本発明者の計算では、
Ｋ１／２＝（１．１２×１０９ｍ）１／２＝３．３７×１０４ｍであるが、この値が９．４８７×１０４ｍとして認められている。
１３．パルサーから放射している光子はどうしてできるか。
中性子は陽子のラブの軌道の近くを電子のラブが回転しています。
電子のラブと陽子のラブの回転面に垂直方向に磁気の光子はクロス回転しています。
中性子は１つの電磁石です。
パルサーはこの中性子がＳ極Ｎ極Ｓ極Ｎ極と整然と並びます。
電子のラブと陽子のラブの回転方向にパルサーは自転します。
それで、排斥、放出した磁気の光子は自転に垂直方向に出て行きます。
これがパルサーから放射している光子です。
パルサーの磁気の光子のエネルギーは大きいので、放射している光子のエネルギーは大きいです。それで光線として見られます。
中性子も１個の電磁石です。
それで、中性子星はエネルギーの大きな電磁石であり、磁場ができます。地磁気のような磁場ができます。
１４．クエーサーから噴出しているジェット噴射はどうしてできるか。
宇宙の初めほど高エネルギーです。
陽子のラブが回転することによって、陽子のニュートリノができました。陽子のラブと陽子のニュートリノが回転し、陽子の磁気の光子ができました。これを▲１▼とします。
電子のラブが回転する事によって電子のニュートリノができました。電子のラブと電子のニュートリノが回転して、電子の磁気の光子ができました。これを▲２▼とします。
陽子の磁気の光子に、電子の磁気の光子が引き付けられました。
それで、▲１▼の周囲を、▲２▼が回転しました。
水素ができました。
水素が集まってクエーサーができました。電子のラブと陽子のラブは回転します。この回転力がクエーサーを自転させました。
クエーサーの中央のエネルギーは一番高くなり、軌道は小さくなりました。中央で、たくさんの高エネルギーの磁気の光子が排斥されます。この高エネルギーの磁気の光子は自転に垂直の方向に進みます。これがジェット噴射です。
１５．太陽圏の引力はどのようであるか。
太陽から出発する光子は太陽の輻射熱であるといえる。これが太陽圏の引力となっている。
Ｋ＝１．１２×１０９ｍであるから、太陽から出発した光子のエネルギーＡＪは、
Ｅ＝ＡＪ×１．１２×１０９ｍ÷（走った距離×２）であるから、地球に到着したら、
６．６７×１０−３５Ｊ＝ＡＪ×１．１２×１０９ｍ÷（１．５×１０１１ｍ×２）であり、
ＡＪ＝１．７８７×１０−３２Ｊ  である。
この軌道は、１．１×１０−４１Ｊ・ｍ÷（１．７８７×１０−３２Ｊ）＝６．１６×１０−１０ｍ  である。
それで、太陽と惑星の距離が解ると惑星に到着する光子のエネルギーが解る。
惑星に到着する光子１個のエネルギーが太陽の引力である。
１６．物質１Ｋｇでできる引力はどのようにできるか。
本発明の９．に示したように、１個の原子から２．２７２×１０−３２Ｊの磁気の光子が放出している。
原子は陽子のラブと電子のラブが回転し、磁気の光子がクロス回転する事によって１つの電磁石になっている。
それで、１個の原子から毎秒２．７２２×１０−３２Ｊの磁気の光子が生産される。
この磁気の光子のエネルギーが引力になる。磁気の光子が走る逆方向に力が働く。それが引力である。
１個の原子から２．７２２×１０−３２Ｊのエネルギーが放出されるけれど、光子が１個だけ放出するのではない。
２．７２２×１０−３２Ｊの光子の軌道は、
１．１×１０−４１Ｊ・ｍ÷（２．７２２×１０−３２Ｊ）＝２．９９４２×１０−１０ｍ  である。
これはＸ線である。この光子は放出しない。
例えば、鉛の場合、放出する光子は、鉛元素の外側を回転する光子である。
鉛元素の外側を回転する光子は、鉛元素のＰ電子殻をクロス回転する特性Ｘ線よりもっと外側を回転する光子である。
鉛元素のＭ系特性Ｘ線Ｉは０．６７４×１０−９ｍの波長である。軌道は０．３３７×１０−９ｍである。
この光子は放出しない。
放出するのはもっとエネルギーの小さな、軌道の大きい光子である。
それは、分子の外側を回転する光子である。
物質から放出する光子が目に入る。物質から放出する光子は可視光である。
３〜７×１０−７ｍの波長の光子である。軌道は１．５〜３．５×１０−７ｍの光子である。
約２．５×１０−７ｍの軌道の光子である。
エネルギーは、１．１×１０−４１Ｊ・ｍ÷（２．５×１０−７ｍ）＝４．４×１０−３５Ｊである。
これらの光子が引力になっている。
鉛は８２原子でできているから、１元素の鉛から放出するエネルギーは、
８２×２．７２２×１０−３２Ｊである。
このエネルギーは４．４×１０−３５Ｊの光子が何個でできるエネルギーか。
８２×２．７２２×１０−３２Ｊ÷（４．４×１０−３５Ｊ）＝５．０７３×１０４個でできる。
１原子からは、何個放出するか。
２．７２２×１０−３２Ｊ÷（４．４×１０−３５Ｊ）＝６．１８６×１０２個放出する。
それで、１原子から１秒間に、
４．４×１０−３５Ｊの光子の場合、６．１８６×１０２個の光子が放出している。
原子の中では、電子のラブが回転し、１秒間に、６．１８６×１０２個の光子を作っている。
電子のラブは回転し、引力となっている光子を作っている。
この事を説明する。
電子のラブが作っている光子のエネルギーは非常に高い。この光子が自分のエネルギーを減少させ、軌道を大きくさせ、次第に軌道の大きな殻をクロス回転するようになる。それから、原子の外に出る。そして更に自分のエネルギーを減少させ、自分の軌道を大きくする。そして、太陽の光子によって排斥され、外に放出する。この光子が引力になる。
【発明の実施態様】
【０００５】１．地球の自転はどうしてできるか。
本発明者が考えている鉄元素は１個の電磁石である。
即ち、電子のラブと陽子のラブが平面上を回転し、それに垂直に、磁気の光子がクロス回転している。
電子のラブと陽子のラブの回転方向は一定方向である。
地球の自転は外核と内核に存在する鉄原子の電子のラブと陽子のラブの回転力によってできる。
地球の自転は左回りであるから、電子のラブと陽子のラブの回転方向は左回りである。
地球の自転は外核と内核に存在する鉄原子の電子のラブと陽子のラブの回転力によってできる。
２．原子のＳ極とＮ極はどのようになっているか。図１
原子にもＳ極とＮ極がある。それは電流と磁場のできる方向と同じである。
電子のラブと陽子のラブの回転方向は電流の反対方向である。
即ち、電子のラブと陽子のラブが左回転すると、電流は右回転する。Ｓ極は上で、上から磁気の光子は中央に入り込みクロス回転する。
反対に、電子のラブと陽子のラブが右回転すると、電流は左回転する。Ｓ極は下で、下から磁気の光子は中央に入り込みクロス回転する。
３．地磁気はどうしてできるか。惑星間磁場はどうしてできるか。図２
現在、地球は大きな磁石になっていて、北極付近にＳ極があり、南極付近にＮ極がある。
自転は左まわりである。これはどうしてできるか。
外核に存在する鉄元素の電子のラブと陽子のラブは左回りである。これで自転ができる。
鉄元素のＳ極はうえで、磁気の光子は上部中央から入り込み、下から磁気の光子は出るようにクロス回転しています。
クロス回転は、回転しながら進むので、コイル回転となります。
それで、鉄元素は電磁石です。
このような鉄元素がたくさんＳ極を上に、Ｎ極を下にして整然と並んでいます。
それで、外核と内核は鉄元素である電磁石の集団であり、元素達が作る磁場も大きくなります。それが地磁気です。
即ち、地磁気は外核と内核の鉄元素である電磁石によってできる総合磁場である。
惑星間磁場は地球の地殻である岩石などの元素の磁気の光子によってできるものである。
地球は地殻にある元素の電子のラブと陽子のラブが左回転し、磁気の光子がクロス回転（コイル回転）することによって、電磁石になり、これらの元素がＳ極Ｎ極と整然と並んでできる、大きな電磁石になっている。
即ち、惑星間磁場は地球の地殻の元素である電磁石によってできる総合磁場である。
対流層では、元素の電子のラブが一定方向に回転していないので、磁気の光子も一定方向に回転しないので、地磁気はできない。これは太陽の対流層と同じである。
太陽の対流層では、中央で排斥放出した光子が回転しながら自分のエネルギーを減少させ、軌道を大きくし、外側に移動している。対流となっているのは、光子が回転しているからである。
４．地磁気の軌道の大きさと惑星間磁場の軌道の大きさと、それを作っている磁気の光子の軌道の大きさについて。
磁力線は鉄元素の磁気の光子の回転によりできる。
外核の直径を電子のラブの大きさと見なし、磁気線の軌道を磁気の光子の軌道と見なす事ができる。図３
１万Ｋｍの磁力線の場合。
磁力線の軌道＝１０×１０６ｍ＋地球の半径＝１０×１０６ｍ＋６．３７８×１０６ｍ＝１６．３７８×１０６ｍ
地球の外核の直径＝（地球の半径−２９００Ｋｍ）×２＝（６．３７８×１０６ｍ−２．９×１０６ｍ）×２＝６．９５６×１０６ｍ
磁力線の軌道は地球の外核の直径の何倍か。
１６．３７８×１０６ｍ÷（６．９５６×１０６ｍ）＝２．３５  ２．３５倍である。
それ故、１万Ｋｍの磁力線を作っている鉄元素の磁気の光子の軌道は、
電子のラブの軌道：磁気の光子の軌道＝外核の直径：磁力線の軌道＝１：２．３５  である。
２万Ｋｍの磁力線の場合。
磁力線の軌道＝２０×１０６ｍ＋地球の半径＝２０×１０６ｍ＋６．３７８×１０６ｍ＝２６．３７８×１０６ｍ地球の外核の直径＝６．９５６×１０６ｍ
磁力線の軌道は外核の軌道の何倍か。
２６．３７８×１０６ｍ÷（６．９５６×１０６ｍ）＝３．７９２  約３．８倍である。
それ故、２万Ｋｍの磁力線を作っている鉄元素の磁気の光子の軌道は、
電子のラブの軌道：磁気の光子の軌道＝外核の直径：磁力線の軌道＝１：３．８  である。
６万Ｋｍの磁力線の場合。
磁力線の軌道＝６０×１０６ｍ＋地球の半径＝６０×１０６ｍ＋６．３７８×１０６ｍ＝６６．３７８×１０６ｍ
地球の外核の直径＝６．９５６×１０６ｍ
磁力線の軌道は地球の外核の何倍か。
６６．３７８×１０６ｍ÷（６．９５６×１０６ｍ）＝９．５４２  ９．５４２倍である。
それ故、６万Ｋｍの磁力線を作っている鉄元素の磁気の光子の軌道は、
電子のラブの軌道：磁気の光子の軌道＝地球の軌道：磁力線の軌道＝１：９．５４  である。
このように、外側の磁力線ほどそれを作っている鉄元素の磁気の光子の軌道は大きい。
磁力線の軌道はそれを作った磁気の光子の軌道に相似である。
外側の磁力線は外核の鉄元素の磁気の光子によって作られ、内側の磁力線は内核の鉄元素の磁気の光子によって作られている。（これについては、５．で理解する。）
それで、磁力線は小さい軌道の磁力線ほどエネルギーは大きい。
これらの事によって、次のことが磁力線の定理であると理解できる。
▲１▼磁力線の軌道はそれを作った磁気の光子の軌道に相似である。
▲２▼磁力線の軌道エネルギーは内側ほど軌道エネルギーは大きい。
▲３▼内側の磁力線ほど小さな軌道の磁気の光子によって作られている。
惑星間磁場の軌道は外側の地磁気の軌道の何倍か。
地球の軌道は表面が１．８２×１０−５ｍで、外核が３×１０−７ｍであるから、（これは８番で解決する。）地球の地殻に存在する元素の電子のラブの軌道は、外核に存在する鉄元素の電子のラブの軌道より、１．８２×１０−５ｍ÷（３×１０−７ｍ）＝６．０７×１０  倍大きい。
それで、電子のラブをクロス回転する磁気の光子も大きくなっている。６０．７倍大きくなっている。
それで、惑星間磁場の軌道は外側の地磁気の軌道の６０．７倍である。
外側の地磁気を６万Ｋｍの磁力線とすると、惑星間磁場の軌道は、６６．３７８×１０６ｍ×６０．７＝４．０３×１０９ｍである。
惑星間磁場は地球の地殻の磁気の光子の回転によってできる。
地球の大きさを電子のラブの軌道と見なし、惑星間磁場の軌道を磁気の光子の軌道と見なす事ができる。
惑星間磁場の軌道は地球の大きさの何倍か。
地球の大きさは、２×６．３７８×１０６ｍであるから、
４．０３×１０９ｍ÷（２×６．３７８×１０６ｍ）＝３．１６×１０２倍である。
それ故、惑星間磁場を作っている、地殻の元素の磁気の光子の軌道は、
地殻の元素の電子のラブの軌道：地殻の元素の磁気の光子の軌道＝地球の大きさ：惑星間磁場の軌道＝１：３．１６×１０２  である。
この事は、惑星間磁場を作っている磁気の光子の軌道は、岩石の電子のラブの軌道が１０−１１ｍであるなら、３．１６×１０−９ｍであるということである。
惑星間磁場は地殻に存在する元素の磁気の光子によってできる事が証明できた。
地殻の元素は惑星間磁場を作ることが証明できた。
地球の地殻に存在する元素の電子のラブと陽子のラブは一定方向に左回転している事が証明できた。
そして、磁気の光子は上から中央に入り込み、クロス回転（コイル回転）している。
それで、地殻の元素は惑星間磁場を作る事ができる。
この事によって、地磁気と惑星間磁場は磁気の光子のクロス回転によってできる事が証明できた。
元素にはクロス回転する磁気の光子が存在する事が証明できた。
できた磁力線の軌道や惑星間磁場の軌道とそれを作った磁気の光子の軌道は相似になる事が証明できた。
磁力線の定理を理解できた。
５．惑星間磁場の軌道と地磁気の軌道を作った磁気の光子の軌道とエネルギーについて。
図４．
電子のラブの軌道と磁気の光子の軌道の大きさは、それが存在する軌道に左右される。
小さい軌道に存在すると、電子のラブの軌道と磁気の光子の軌道の大きさは小さい。
外核の大きさを１とすると、惑星間磁場の軌道：６万Ｋｍの地磁気の軌道：２万Ｋｍの地磁気の軌道：１万Ｋｍの地磁気の軌道＝５７９：９．５４：３．８：２．３５である。
それで、惑星間磁気を作った磁気の光子の軌道：６万Ｋｍの地磁気を作った磁気の光子の軌道：２万Ｋｍの地磁気を作った磁気の光子の軌道：１万Ｋｍの地磁気を作った磁気の光子の軌道＝５７９：９．５４：３．８：２．３５である。
地球上の元素の最大磁気の光子の軌道（＝最大特性Ｘ線の軌道）は、約１×１０−９ｍである。
この軌道は惑星間磁場を作った、地殻に存在する元素の磁気の光子の軌道である。
それで、惑星間磁場を作った磁気の光子の軌道：６万Ｋｍの地磁気を作った磁気の光子の軌道：２万Ｋｍの地磁気を作った磁気の光子の軌道：１万Ｋｍの地磁気を作った磁気の光子の軌道＝５７９：９．５４：３．８：２．３５＝１×１０−９ｍ：１．６５×１０−１１ｍ：６．５６×１０−１２ｍ：４．０６×１０−１２ｍである。
エネルギーは軌道分の１である。
惑星間磁気の軌道エネルギー：６万Ｋｍの地磁気の軌道エネルギー：２万Ｋｍの地磁気の軌道エネルギー：１万Ｋｍの地磁気の軌道エネルギー＝１÷５７９：１÷９．５４：１÷３．８：１÷２．３５＝０．００１７２７：０．１０４８：０．２６３：０．４２６＝１．７２７：１０４．８：２６３：４２６＝１：６０．７：１５２．３：２４６．７である。
軌道エネルギー＝１．１×１０−４１Ｊ・ｍ÷軌道で計算すると、
１．１×１０−４１Ｊ・ｍ÷１０−９ｍ＝１．１×１０−３２Ｊ
１．１×１０−４１Ｊ・ｍ÷（１．６５×１０−１１ｍ）＝６．６７×１０−３１Ｊ
１．１×１０−４１Ｊ・ｍ÷（６．５６×１０−１２ｍ）＝１．６８×１０−３０Ｊ
１．１×１０−４１Ｊ・ｍ÷（４．０６×１０−１２ｍ）＝２．７１×１０−３０Ｊ  である。
それで、太陽風は惑星間磁気は通過するけれども、地磁気は通過できない。
これを表にする。
2005033998.tif 000003
2005033998.tif 000004
本発明者は特願２００２−２３４１２５の「熱二」の
【請求項１０】
において、固体の分子の半径：液体の分子の半径：気体の分子の半径＝１：１．７３５：３である。と理解した。図５．
それで、６万Ｋｍの地磁気を作っている鉄は液体であり、１．６５×１０−１１ｍであるから、これが固体になると、１．６５×１０−１１ｍ÷１．７３５＝９．５１×１０−１２ｍである。
それで、２万Ｋｍの地磁気と１万Ｋｍの地磁気を作った磁気の光子の軌道は９．５１×１０−１２ｍより小さいので、固体の鉄によってできた。
９．５１×１０−１２ｍの磁気の光子が作る地磁気の軌道はどれ位か。
外核の直径のｘ倍とする。
１×１０−９ｍ：９．５１×１０−１２ｍ＝５７９：ｘ  ｘ＝５．５
外核の直径は６．９５６×１０６ｍであるから、軌道は、
６．９５６×１０６ｍ×５．５＝３８．２５８×１０６ｍ  である。
この磁力線は、地上何ｍの磁力線か。
３８．２５８×１０６ｍ−地球の半径＝３８．２５８×１０６ｍ−６．３７８×１０６ｍ＝３１．８８×１０６ｍ
地上３１．８８×１０６ｍの磁力線である。
３１．８８×１０６ｍより高い地磁気は外核の鉄元素の磁気の光子の回転によってできた。
３１．８８×１０６ｍより低い地磁気は内核の鉄元素の磁気の光子の回転によってできた。
６．地磁気のＳ極とＮ極が何万年という周期で入れ替わるのはどうしてか。図６．
太陽系は銀河系の中心を軸に回転している。それで、地球も銀河系の中心を軸に回転する。
現在、地球のＳ極は常に北極星を向いて回転している。
北極星は銀河系の内側の軌道を回転している。
それで、北極星が銀河系の軌道を半回転すると、地球も銀河系の軌道を半回転し、地球のＳ極は逆向きとなる。
それで、鉄原子の磁気の光子の回転方向は逆になり、Ｓ極とＮ極は入れ替わる。
その結果、地磁気のＳ極とＮ極は入れ替わる。
地球が銀河系の軌道を半回転する周期が何万年である。
７．輻射熱はどのようにできるか。
輻射熱は、地球の内部になるほど軌道は小さいので、外側の磁気の光子は排斥される、その排斥放出した光子は自分のエネルギーの軌道に存在し回転している。
地球のマントルが対流しているのは、そこに存在する光子が回転しているからである。
同じ現象が太陽の対流層でも現れている。太陽の中で排斥、放出した光子が回転しながら存在する。それで、対流層は回転層になっている。
排斥放出した光子は自分のエネルギーを減少させながら、表面に出てくる。
そして、地球の表面から出た光子が輻射熱である。
太陽の表面から出た光子も太陽の輻射熱である。
光子は排斥放出後は回転している。１秒間に３×１０８ｍ回転すると仮定する。
そして、５×１．１２×１０９ｍ回転するとエネルギーを１／１０に減少させる。
即ち、軌道を１０倍にするためには、５×１．１２×１０９ｍ÷（３×１０８ｍ）＝１．８６７×１０  秒かかる。約２０秒で軌道を１０倍大きくする。
それで、地球の外核でできた光子は３×１０−７ｍで、地表では１．８２×１０−５ｍであるから、１．８２×１０−５ｍ÷（３×１０−７ｍ）＝６０倍である。地表までには、６×２０秒＝１２０秒＝２分かかる。
太陽の場合は、中央で核融合反応がおき、その軌道は１０−１６ｍであるとし、表面の軌道を１０−１０ｍとしますと、１０６倍である。
それで、１０５×２０秒＝２×１０６秒＝２３．１４８日かかって表面に出る。
しかし、回転する場合は、走る場合と比べ、エネルギーの消耗は少ないでしょうから、これは間違いでしょう。時間はもっとかかるでしょう。
８．地球の軌道に於ける光子１個のエネルギーと引力はどれ位か。図７．
地球の外核は鉄が融解している。
鉄は赤く見える場合、波長は、６〜７×１０−７ｍです。軌道は３〜３．５×１０−７ｍです。
鉄が黄色に見える場合、波長は５×１０−７ｍです。軌道は２．５×１０−７ｍです。
この中間をとって、軌道を３×１０−７ｍとします。
外核の軌道は３×１０−７ｍです。
エネルギーは、１．１×１０−４１Ｊ・ｍ÷（３×１０−７Ｊ）＝３．６７×１０−３５Ｊ  です。
外核は地下２９００Ｋｍ〜５２００Ｋｍで、その軌道は３×１０−７ｍで、エネルギーは３．６７×１０−３５Ｊです。
地球の表面は輻射熱ですから、その温度を２５℃であると仮定します。理由は、地表の水の温度が２５℃であるからです。
２５＋２７３＝２９８（Ｋ）
１Ｋ＝１．３８×１０−２３Ｊこれは原子のエネルギーであるから（電子のラブや陽子のラブやニュートリノの軌道エネルギーであるから）、光子のエネルギーはこのエネルギーの、
１．１×１０−４１Ｊ・ｍ÷（０．７５×１０−２５Ｊ・ｍ）＝１．４６７×１０−１６  倍である。
２９８Ｋのエネルギーは、
２９８×１．３８×１０−２３Ｊ×１．４６７×１０−１６＝６．０３３×１０−３７Ｊ  である。
この軌道は、１．１×１０−４１Ｊ・ｍ÷（６．０３３×１０−３７Ｊ）＝１．８２３×１０−５ｍ  である。
それで、地球の表面の磁気の光子の軌道は１．８２×１０−５ｍでエネルギーは６×１０−３７Ｊである。
引力は、６×１０−３７Ｎ・ｍである。
外核（地球の半径−地下２．９×１０６ｍ＝６．３７８×１０６ｍ−２．９×１０６ｍ＝３．４７８×１０６ｍ）の磁気の光子の軌道は３×１０−７ｍでエネルギーは３．６７×１０−３５Ｊである。
引力は３．６７×１０−３５Ｎ・ｍである。
９．地球に於ける引力（重力）はどうしてできるか。
地球の引力（重力）は下の方向に働きます。引力は光子の進行方向の反対方向に働きますから、引力は地球から上の方向に走る光子によってできます。地球から上の方向に走る光子は地球の輻射熱です。それで、地球の引力は輻射熱でできると考えます。
地球の中央程高エネルギーである。それで、地球の表面から輻射熱が出発する。
この輻射熱が引力となっている。
１Ｋｇでできる引力は（６．６２×１０−１１）１／２Ｎである。
１Ｋｇ１ｍでできるエネルギーは（６．６２×１０−１１）１／２Ｊ＝８．１６×１０−６Ｊである。
１Ｋｇに何個の原子が存在するか。
陽子の静止質量＝１．６７２６５×１０−２７Ｋｇ
中性子の静止質量＝１．６７４９５×１０−２７Ｋｇ
電子の静止質量＝９．１×１０−３１Ｋｇ  です。
１原子で、３．３４８５１×１０−２７Ｋｇ  です。
１Ｋｇの中に原子は、１÷（３．３４８５１×１０−２７）＝２．９８６４０２×１０２６個存在します。約３×１０２６個の原子で１Ｋｇです。
３×１０２６個の原子が８．１６×１０−６Ｊの磁気の光子を放出している。
１個の原子からは、（８．１６×１０−６）Ｊ÷（３×１０２６）個＝２．７２２×１０−３２Ｊの磁気の光子が放出し、引力になっています。
Ａ、輻射熱によって引力はできる。図８．
地面から放出する光子のエネルギーはどれ位か。
輻射熱を２５℃とした場合。（なぜなら地面の水温は約２５℃であるから。）
２５℃＋２７３＝２９８（Ｋ）
１Ｋ＝１．３８×１０−２３Ｊこれは原子の軌道のエネルギーである。
光子１個のエネルギーはこのエネルギーの、
１．１×１０−４１Ｊ・ｍ÷（０．７５×１０−２５Ｊ・ｍ）＝１．４６７×１０−１６  倍であるから、
２９８Ｋのエネルギーは、
２９８×１．３８×１０−２３Ｊ×１．４６７×１０−１６＝６．０３３×１０−３７Ｊ  である。
この軌道は、１．１×１０−４１Ｊ・ｍ÷（６．０３３×１０−３７Ｊ）＝１．８２３×１０−５ｍ  である。
輻射熱の光子１個のエネルギーは６×１０−３７Ｊで、軌道は１．８２×１０−６ｍである。
輻射熱の光子１個の引力は、６×１０−３７Ｊ＝６×１０−３７Ｎ・ｍである。
１原子から６×１０−３７Ｊの光子は何個放出するか。
２．７２×１０−３２Ｊ÷（６×１０−３７Ｊ）＝４．５３×１０４
１原子から１秒間に４．５３×１０４個放出する。
１Ｋｇから４．５３×１０４個×３×１０２６＝１３．５９×１０３０個  放出する。
１Ｋｇから放出するエネルギーは、１３．５９×１０３０個×６×１０−３７Ｊ＝８．１５４×１０−６Ｊである。
よって、１原子から１秒間に、６×１０−３７Ｊの光子が４．５３×１０４個放出する輻射熱が引力をつくる。
Ｂ、気温によって引力はできる。
気温は地球の表面の温度で、上に上ります。即ち、輻射熱は気温となって上に上がります。
それで、地表の気温によって引力はできます。
気温は北極や南極は低く、赤道面は高いです。それで、北極や南極と赤道の引力は違います。
仮に北極や南極の気温を−１０℃、赤道の気温を３５℃としますと、その光子１個のエネルギーは、どれ位か。
北極や南極。
２７３−１０＝２６３（Ｋ）
この光子１個のエネルギーは、
２６３×１．３８×１０−２３Ｊ×１．４６７×１０−１６＝５．３２４×１０−３７Ｊ  である。
この軌道は、
１．１×１０−４１Ｊ・ｍ÷（５．３２４×１０−３７Ｊ）＝２．０６６×１０−５ｍ  である。
赤道。
３５＋２７３＝３０８（Ｋ）
この光子１個のエネルギーは、
３０８×１．３８×１０−２３Ｊ×１．４６７×１０−１６＝６．２３５×１０−３７Ｊ  である。
この軌道は、
１．１×１０−４１Ｊ・ｍ÷（６．２３５×１０−３７Ｊ）＝１．７６４×１０−５ｍ  である。
北極と南極の光子１個の引力は、５．３２×１０−３７Ｊ＝５．３２×１０−３７Ｎ・ｍ  である。
赤道の光子１個の引力は、６．２３×１０−３７Ｊ＝６．２３×１０−３７Ｎ・ｍ  である。
・北極と南極の気温が−１０℃の場合、１Ｋｇでできる引力はどれだけか。
輻射熱は１原子から４．５３×１０４個の光子が放出する（２５℃の場合）と仮定すると、
５．３２×１０−３７Ｊ×４．５３×１０４×３×１０２６＝７．２３×１０−６Ｊ
７．２３×１０−６Ｊ＝７．２３×１０−６Ｎ・ｍである。
・赤道の気温が３５℃の場合、１Ｋｇでできる引力はどれだけか。
輻射熱は１原子から４．５３×１０４個の光子が放出すると仮定すると、（これは２５℃のばあいである。）
６．２３×１０−３７Ｊ×４．５３×１０４×３×１０２６＝８．４６６６×１０−６Ｊ
８．４７×１０−６Ｊ＝８．４７×１０−６Ｎ・ｍである。
即ち、北極と南極の引力（重力）は赤道の引力（重力）より小さい。
赤道の引力（重力）は北極と南極の引力（重力）より大きい。
それで、ジオイドによる地球の形は赤道のほうが長い楕円形である。
これによって、赤道の引力（重力）が北極や南極より大きい事が証明される。
１０．Ｋ＝１．１２×１０９ｍの場合、宇宙の軌道に存在する（存在した）星の外側の磁気の光子１個のエネルギーと引力はどれ位か。図１０．
それでは、宇宙の引力はどのようになっているのか。
本発明者は、２００４年６月１１日提出の特許願２００４−２０２４９６において、Ｋを求めた。
地球のマクロの軌道エネルギーの式は、ＡＪ×Ｋ÷軌道  である。
地球の場合、ＡＪ＝６．６７×１０−３５Ｊである。
地球の原子の軌道エネルギーの式＝０．７５×１０−２５Ｊ・ｍ÷軌道  である。
それで、
ＡＪ×Ｋ÷軌道＝６．６７×１０−３５Ｊ×Ｋ÷軌道＝０．７５×１０−２５Ｊ・ｍ÷軌道Ｋ＝０．７５×１０−２５Ｊ・ｍ÷（６．６７×１０−３５Ｊ）＝１．１２４×１０９ｍ  である。
それで、Ｋ＝１．１２×１０−９ｍとし、宇宙の軌道に存在する星から出発する光子（＝星の外側の磁気の光子）１個のエネルギーを算出し、その引力と水素の大きさとマクロの軌道エネルギーを求める式を理解する。ニュートリのエネルギーと引力を理解する。
１光年の光子１個のエネルギーは、
ＡＪ×１．１２×１０９ｍ÷（２×９．４６×１０１５ｍ）＝６．６７×１０−３５Ｊ
ＡＪ＝６．６７×１０−３５Ｊ÷（１．１２×１０９ｍ）×２×９．４６×１０１５ｍ＝１．１２７×１０−２７Ｊ
１光年の光子のエネルギーは１．１２７×１０−２７Ｊで、引力は１．１２７×１０−２７Ｎ・ｍ。
１０光年の光子のエネルギーは１．１２７×１０−２６Ｊで、引力は１．１２７×１０−２６Ｎ・ｍ。
１００光年の光子のエネルギーは１．１２７×１０−２５Ｊで、引力は１．１２７×１０−２５Ｎ・ｍ。
１０００光年の光子のエネルギーは１．１２７×１０−２４Ｊで、引力は１．１２７×１０−２４Ｎ・ｍ。
１０４光年の光子のエネルギーは１．１２７×１０−２３Ｊで、引力は１．１２７×１０−２３Ｎ・ｍ。
１０５光年の光子のエネルギーは１．１２７×１０−２２Ｊで、引力は１．１２７×１０−２２Ｎ・ｍ。
１０６光年の光子のエネルギーは１．１２７×１０−２１Ｊで、引力は１．１２７×１０−２１Ｎ・ｍ。
１０７光年の光子のエネルギーは１．１２７×１０−２０Ｊで、引力は１．１２７×１０−２０Ｎ・ｍ。
１０８光年の光子のエネルギーは１．１２７×１０−１９Ｊで、引力は１．１２７×１０−１９Ｎ・ｍ。
１０億年まで走った距離は８．９４６×１０２４ｍである。
ＡＪ×１．１２×１０９ｍ÷（２×走った距離）＝６．６７×１０−３５Ｊ
ＡＪ＝６．６７×１０−３５Ｊ÷（１．１２×１０９ｍ）×２×走った距離
ＡＪ＝１．１９１×１０−４３Ｊ×走った距離  であるから、
ＡＪ＝１．１９×１０−４３Ｊ／ｍ×８．９４６×１０２４ｍ＝１．０６５×１０−１８Ｊ
１０億年までの光子のエネルギーは１．０６５×１０−１８Ｊで、引力は１．０６５×１０−１８Ｎ・ｍ。
１０億年代は、走った距離は１４．６２３×１０２４ｍであるから、
ＡＪ＝１．１９×１０−４３Ｊ／ｍ×１４．６２３×１０２４ｍ＝１．７４０×１０−１８Ｊ
２０億年代は、走った距離は１７．４６１×１０２４ｍであるから、
ＡＪ＝１．１９×１０−４３Ｊ／ｍ×１７．４６１×１０２４ｍ＝２．０７８×１０−１８Ｊ
３０億年代は、走った距離は１９．３５３×１０２４ｍであるから、
ＡＪ＝１．１９×１０−４３Ｊ／ｍ×１９．３５３×１０２４ｍ＝２．３０３×１０−１８Ｊ
４０億年代は、走った距離は２０．７７２×１０２４ｍであるから、
ＡＪ＝１．１９×１０−４３Ｊ／ｍ×２０．７７２×１０２４ｍ＝２．４７２×１０−１８Ｊ
５０億年代は、走った距離は２１．９０７×１０２４ｍであるから、
ＡＪ＝１．１９×１０−４３Ｊ／ｍ×２１．９０７×１０２４ｍ＝２．６０７×１０−１８Ｊ
６０億年代は、走った距離は２２．８５３×１０２４ｍであるから、
ＡＪ＝１．１９×１０−４３Ｊ／ｍ×２２．８５３×１０２４ｍ＝２．７２０×１０−１８Ｊ
７０億年代は、走った距離は２３．６６４×１０２４ｍであるから、
ＡＪ＝１．１９×１０−４３Ｊ／ｍ×２３．６６４×１０２４ｍ＝２．８１６×１０−１８Ｊ
８０億年代は、走った距離は２４．３７３×１０２４ｍであるから、
ＡＪ＝１．１９×１０−４３Ｊ／ｍ×２４．３７３×１０２４ｍ＝２．９００×１０−１８Ｊ
９０億年代は、走った距離は２５．００４×１０２４ｍであるから、
ＡＪ＝１．１９×１０−４３Ｊ／ｍ×２５．００４×１０２４ｍ＝２．９７５×１０−１８Ｊ
１００億年代は、走った距離は２５．５７２×１０２４ｍであるから、
ＡＪ＝１．１９×１０−４３Ｊ／ｍ×２５．５７２×１０２４ｍ＝３．０４３×１０−１８Ｊ
１１０億年代は、走った距離は２６．０７６×１０２４ｍであるから、
ＡＪ＝１．１９×１０−４３Ｊ／ｍ×２６．０７６×１０２４ｍ＝３．１０３×１０−１８Ｊ
１２０億年代は、走った距離は２６．５４９×１０２４ｍであるから、
ＡＪ＝１．１９×１０−４３Ｊ／ｍ×２６．５４９×１０２４ｍ＝３．１５９×１０−１８Ｊ
１３０億年代は、走った距離が２６．９８６×１０２４ｍであるから、
ＡＪ＝１．１９×１０−４３Ｊ／ｍ×２６．９８６×１０２４ｍ＝３．２１１×１０−１８Ｊ
１４０億年代は、走った距離は２７．３９２×１０２４ｍであるから、
ＡＪ＝１．１９×１０−４３Ｊ／ｍ×２７．３９２×１０２４ｍ＝３．２６０×１０−１８Ｊ
このデーターから、宇宙の軌道に存在する星の外側の光子１個の引力は、光子１個のエネルギーＮ・ｍである。
このデーターから、宇宙の軌道の星の外側に存在する水素の大きさは、２×磁気の光子の軌道＝２×出発する光子の軌道  である。
このデーターから、宇宙の軌道の星から出発する光子のマクロの軌道エネルギーを求める式は、
光子１個のエネルギー×１．１２×１０９ｍ÷軌道  である。
このデーターから、宇宙の軌道に存在する星から出発するニュートリノ１個のエネルギーは、
光子１個のエネルギー×｛０．７５×１０−２５Ｊ・ｍ÷（１．１×１０−４１Ｊ・ｍ）｝＝光子１個のエネルギー×６．８１８×１０１５  である。
このデーターから、宇宙の軌道に存在する星から出発するニュートリノ１個のマクロの軌道エネルギーの式は、
光子１個のエネルギー×６．８１８×１０１５×Ｋ（１．１２×１０９ｍ）÷軌道  である。これは表のスペースが無いので省略する。
これらを計算し表にまとめる。  （Ｋ＝１．１２×１０９ｍの場合）
2005033998.tif 000005
2005033998.tif 000006
１１．Ｋ＝１．１２×１０９ｍの場合、１４０億年代のクエーサーから出発した光子は、地球に到着したとき、どれ位のエネルギーになるか。
５×Ｋ走ると光子のエネルギーは１／１０に減少する。
１４０億年代（１４０億年から１５０億年まで）までに走った総距離は、２７．３９２×１０２４ｍである。
１４０億年代の光子１個のエネルギーは４．０９２×１０−１８Ｊである。
それで、２７．３９２×１０２４ｍ走ると、光子のエネルギーは、
２７．３９２×１０２４ｍ÷（５×１．１２×１０９ｍ）＝４．８９１４×１０１５  で、１÷（４．８９１４×１０１５×１０）に減少します。
それで、エネルギーは、
４．０９２×１０−１８Ｊ÷（４．８９１４×１０１６）＝８．３７×１０−３５Ｊ  である。
別の計算式では、
ＡＪ×Ｋ÷（２×走った距離）＝４．０９２×１０−１８Ｊ×１．１２×１０９ｍ÷（２×２７．３９２×１０２４ｍ）＝８．３７×１０−３５Ｊ  である。
この事から、Ｋ＝１．１２×１０９ｍは正しい値である。
ＡＪ×Ｋ÷（２×走った距離）でＫを求めると、
４．０９２×１０−１８Ｊ×Ｋ÷（２×２７．３９２×１０２４ｍ）＝６．６７×１０−３５ＪＫ＝６．６７×１０−３５Ｊ÷（４．０９２×１０−１８Ｊ）×２×２７．３９２×１０２４ｍ＝８．９３×１０８  である。
（８．９３×１０８）１／２ｍ≒３×１０４ｍ  である。
１２．Ｋ＝１．１２×１０９ｍであるのに、どうして、Ｋ＝（９×１０９）１／２＝９．４８７×１０４（ｍ）と考えられているのか。図１１．
それは、太陽から光子がやってくる。地球からも地熱である光子が放出しているからである。
光子の走る方向が反対である。それで、力の方向も反対方向である。それで力は半減する。
エネルギーは半減する。
エネルギー＝ＡＪ×Ｋ÷軌道  であるから、Ｋは半減した値として認められる。
即ちＫは、Ｋ１／２の値として認められる。
地球から出発する光子のエネルギーだけを考え、又は、太陽から出発する光子だけを考え、拮抗している事を考えないと、Ｋ１／２の値となる。
地球から出発する光子のエネルギー（引力）と太陽からの光子のエネルギー（引力）が拮抗して働いている事を考慮すると、Ｋの値になる。
地球から出発する光子と、太陽から出発する光子は力を拮抗させて、Ｋ１／２になっている。
本発明者の計算では、
Ｋ１／２＝（１．１２×１０９ｍ）１／２＝３．３７×１０４ｍ  であるが、この値が９．４８７×１０４ｍとして認められている。
１３．パルサーから放射している光子はどうしてできるか。図１２．
中性子の構造は陽子のラブの軌道の近くを電子のラブが回転しています。
電子のラブと陽子のラブの回転面に垂直方向に磁気の光子はクロス回転しています。
パルサーはこの中性子がＳ極Ｎ極Ｓ極Ｎ極と整然と並びます。
電子のラブと陽子のラブの回転方向にパルサーは自転します。
排斥、放出した磁気の光子は自転に垂直方向に出て行きます。
これがパルサーから放射している光子です。
パルサーの磁気の光子のエネルギーは大きいので、放射している光子のエネルギーは大きいです。それで光線として見られます。
パルサーは電子のラブの軌道が１０−１４ｍと成った中性子ですから、そのエネルギーは太陽の１０−１１÷１０−１４＝１０３倍です。
そして、パルサーが存在する宇宙の年代が１００万年前であるとすると、その軌道の光子１個のエネルギーは、１．１２７×１０−２１Ｊです。
太陽の光子１個のエネルギーは１．７８７×１０−３２Ｊです。
軌道エネルギーは、１．１２７×１０−２１Ｊ÷（１．７８７×１０−３２Ｊ）＝６．３×１０１０  倍です。
それで、パルサーのエネルギーは太陽のエネルギーの、
１０３×６．３×１０１０＝６．３×１０１３倍です。
それで、１００万光年の軌道のパルサーから放出している光子のエネルギーは、太陽から放出している光子のエネルギーの６．３×１０１３倍です。
もし、パルサーが１０ｎ年以前の軌道にいるとしたならば、軌道のエネルギーは太陽の軌道のエネルギーの、１０３２−２７＋ｎ倍であるから、パルサーのエネルギーは太陽のエネルギーの、１０３２−２７＋ｎ＋３＝１０８＋ｎ  倍である。
中性子も１個の電磁石です。
中性子星は中性子がたくさん集まって、エネルギーの大きな電磁石になります。それで、磁場ができます。地磁気のような磁場ができます。
１４．クエーサーから噴出しているジェット噴射はどうしてできるか。
宇宙の初めほど高エネルギーです。
陽子のラブが回転することによって、陽子のニュートリノができました。陽子のラブと陽子のニュートリノが回転し、陽子の磁気の光子ができました。これを▲１▼とします。
電子のラブが回転する事によって電子のニュートリノができました。電子のラブと電子のニュートリノが回転して、電子の磁気の光子ができました。これを▲２▼とします。
陽子の磁気の光子に、電子の磁気の光子が引き付けられました。
それで、▲１▼の周囲を、▲２▼が回転しました。
水素ができました。
水素が集まってクエーサーができました。電子のラブと陽子のラブは回転します。この回転力がクエーサーを自転させました。
クエーサーの中央のエネルギーは一番高くなり、軌道は小さくなりました。中央で、たくさんの高エネルギーの磁気の光子が排斥されます。この高エネルギーの光子は自転に垂直の方向に進みます。これがジェット噴射です。
クエーサーができた１４０億年代の磁気の光子１個のエネルギーは、３．２６×１０−１８Ｊである。
太陽の磁気の光子１個のエネルギーは、１．７８７×１０−３２Ｊである。
それで、クエーサーのエネルギーは太陽のエネルギーの、３．２６×１０−１８Ｊ÷（１．７８７×１０−３２Ｊ）＝１．８２×１０１４倍である。
それで、ジェット噴射する光子のエネルギーは、太陽から出発する光子のエネルギーの１．８２×１０１４倍以上である。
１５．太陽圏の引力はどのようであるか。図１４．
太陽から出発する光子は太陽の輻射熱であるといえる。これが太陽圏の引力となっている。
Ｋ＝１．１２×１０９ｍであるから、太陽から出発した光子のエネルギー（＝ＡＪ）は、Ｅ＝ＡＪ×１．１２×１０９ｍ÷（走った距離×２）であるから、
６．６７×１０−３５Ｊ＝ＡＪ×１．１２×１０９ｍ÷（１．５×１０１１ｍ×２）
ＡＪ＝１．７８７×１０−３２Ｊ  である。
この軌道は、１．１×１０−４１Ｊ・ｍ÷（１．７８７×１０−３２Ｊ）＝６．１６×１０−１０ｍ  である。
太陽から出発する光子のエネルギーは１．７８７×１０−３２Ｊで、軌道は６．１６×１０−１０ｍである。
それで、太陽と惑星の距離が解ると惑星に到着する光子のエネルギーが解る。
惑星に到着する光子１個のエネルギーが引力である。
この値と地球に於ける光子１個の引力を比較する。
惑星に到着する光子のエネルギーは、
Ｅ＝太陽から出発する光子のエネルギー×Ｋ÷（２×太陽と惑星の距離）である。
例えば、冥王星の場合。
冥王星と太陽の距離は５９．１５２×１０１１ｍであるから、
１．７８７×１０−３２Ｊ×１．１２×１０９ｍ÷（２×５９．１５２×１０１１）＝１．６９２×１０−３６Ｊ  になる。
１．６９２×１０−３６Ｊ＝１．６９２×１０−３６Ｎ・ｍで冥王星を引いている。
同様に、
水星と太陽の距離は０．５７９×１０１１ｍであるから、太陽から出発した光子のエネルギーは、１．７８７×１０−３２Ｊ×１．１２×１０９ｍ÷（２×０．５７９×１０１１ｍ）＝１．７２８×１０−３４Ｊ  になる。
金星と太陽の距離は１．０８２×１０１１ｍであるから、太陽から出発した光子のエネルギーは、１．７８７×１０−３２Ｊ×１．１２×１０９ｍ÷（２×１．０８２×１０１１ｍ）＝９．２４９×１０−３５Ｊ  になる。
地球と太陽の距離は１．４９６×１０１１ｍであるから、太陽から出発した光子のエネルギーは、１．７８７×１０−３２Ｊ×１．１２×１０９ｍ÷（２×１．４９６×１０１１ｍ）＝６．６９×１０−３５Ｊ  になる。
火星と太陽の距離は２．２７９×１０１１ｍであるから、太陽から出発した光子のエネルギーは、１．７８７×１０−３２Ｊ×１．１２×１０９ｍ÷（２×２．２７９×１０１１ｍ）＝４．３９×１０−３５Ｊ
木星と太陽の距離は７．７８３×１０１１ｍであるから、太陽から出発した光子のエネルギーは、１．７８７×１０−３２Ｊ×１．１２×１０９ｍ÷（２×７．７８３×１０１１ｍ）＝２．５７１×１０−３５Ｊ  になる。
土星と太陽の距離は１４．２９４×１０１１ｍであるから、太陽から出発した光子のエネルギーは、１．７８７×１０−３２Ｊ×１．１２×１０９ｍ÷（２×１４．２９４×１０１１ｍ）＝７．００１×１０−３６Ｊ  になる。
天王星と太陽の距離は２８．７５０×１０１１ｍであるから、太陽から出発した光子のエネルギーは、１．７８７×１０−３２Ｊ×１．１２×１０９ｍ÷（２×２８．７５０×１０１１ｍ）＝３．４８１×１０−３６Ｊ  になる。
海王星と太陽の距離は４５．０４４×１０１１ｍであるから、太陽から出発した光子のエネルギーは、１．７８７×１０−３２Ｊ×１．１２×１０９ｍ÷（２×４５．０４４×１０１１ｍ）＝２．２２２×１０−３６Ｊ  になる。
太陽圏の引力の法則。
太陽の惑星に対する引力は、太陽から出発した光子が惑星に到着した光子のエネルギーである。
惑星の引力は惑星から出発する光子のエネルギーである。
惑星から出発する光子のエネルギーは、惑星に於ける気温である。
それは、太陽から到着する光子のエネルギーである。
よって、太陽から惑星に到着した光子のエネルギー＝惑星から出発する光子のエネルギー。
それ故、太陽が惑星に対する引力＝惑星の引力。であり、引力はつり合っている。
地球から出発する磁気の光子のエネルギーは輻射熱であり、２５℃とすると、６．０３３×１０−３７Ｊであり、引力は６．０３３×１０−３７Ｎ・ｍである。
これは太陽が冥王星に及ぼす引力より小さい。
冥王星に及ぼす引力の、
６．０３３×１０−３７÷（１．６９２×１０−３６）＝０．３５７  倍である。
１６．物質１Ｋｇでできる引力はどのようにできるか。
本発明の９．に示したように、１個の原子から２．２７２×１０−３２Ｊの磁気の光子が放出している。
原子は陽子のラブと電子のラブが回転し、磁気の光子がクロス回転する事によって１つの電磁石になっている。
それで、１個の原子から毎秒２．７２２×１０−３２Ｊの磁気の光子が放出される。
この磁気の光子のエネルギーが引力になる。磁気の光子が走る逆方向に力が働く。それが引力である。
１個の原子から２．７２２×１０−３２Ｊのエネルギーが放出されるけれど、光子が１個だけ放出するのではない。
２．７２２×１０−３２Ｊの光子の軌道は、
１．１×１０−４１Ｊ・ｍ÷（２．７２２×１０−３２Ｊ）＝２．９９４２×１０−１０ｍ  である。
これはＸ線である。この光子は放出しない。
例えば、鉛の場合、放出する光子は、鉛元素の外側を回転する光子である。
鉛元素の外側を回転する光子は、鉛元素のＰ電子殻をクロス回転する特性Ｘ線よりもっと外側を回転する光子である。
鉛元素のＭ系特性Ｘ線Ｉは０．６７４×１０−９ｍの波長である。０．３３７×１０−９ｍの軌道である。
この光子は放出しない。
放出するのはもっとエネルギーの小さな、軌道の大きい光子である。
それは、分子の外側を回転する光子である。
物質から放出する光子が目に入る。物質から放出する光子は可視光である。
３〜７×１０−７ｍの波長の光子である。軌道は１．５〜３．５×１０−７ｍの光子である。
約２．５×１０−７ｍの軌道の光子である。
エネルギーは、１．１×１０−４１Ｊ・ｍ÷（２．５×１０−７ｍ）＝４．４×１０−３５Ｊである。
これらの光子が引力になっている。
鉛は８２原子でできているから、１元素の鉛から放出するエネルギーは、
８２×２．７２２×１０−３２Ｊである。
このエネルギーは４．４×１０−３５Ｊの光子が何個でできるエネルギーか。
８２×２．７２２×１０−３２Ｊ÷（４．４×１０−３５Ｊ）＝５．０７３×１０４個  でできる。
１原子からは、何個放出するか。
２．７２２×１０−３２Ｊ÷（４．４×１０−３５Ｊ）＝６．１８６×１０２  個放出する。
それで、１原子から１秒間に、
４．４×１０−３５Ｊの光子の場合、６．１８６×１０２個の光子が放出している。
原子の中では、電子のラブが回転し、１秒間に、６．１８６×１０２個の磁気の光子を作っている。
電子のラブは引力となっている磁気の光子を作っている。
この事を説明する。これは光子が一定の引力を作っているメカニズムである。
電子のラブが作っている磁気の光子のエネルギーは非常に高い。この磁気の光子が自分のエネルギーを減少させ、軌道を大きくさせ、次第に軌道の大きな殻をクロス回転するようになる。それから、原子の外に出る。そして更に自分のエネルギーを減少させ、自分の軌道を大きくする。そして、ある一定の軌道になったとき、原子の外に出る。この光子が引力になる。原子の外に出る光子を‘引力を作るために出発する光子’と名づける。
【発明の効果】
【０００６】元素は電子のラブと陽子のラブが左回転をし、磁気の光子は上から中央に入り込むクロス回転をしている事が地球の自転と地磁気によって理解できた。
元素にはＳ極とＮ極があることが理解できた。
元素は全て１個の電磁石である事が地磁気より証明できた。
地磁気により磁力線の軌道とエネルギーについて理解できた。
地磁気がどれ位の磁気の光子によってできたのか理解できた。
惑星間磁場は地殻の磁気の光子によってできる事が理解できた。地球は北極星を北にして銀河系を回転している。北極星が半回転すると、地球は反対方向を向く事になる。それで、Ｓ極とＮ極は入れ替わる。と理解できた。
輻射熱は地球の内部で排斥放出した磁気の光子がエネルギーを減少させ、軌道を大きくし、地表から出る光子であると理解できた。
Ｋ＝１．１２×１０９ｍである事が理解できた。
Ｋ＝（９×１０９）１／２ｍであると理解されているのは、太陽からの光子のエネルギーと、地球から出発する光子のエネルギーが方向を反対にして進むので、引力は反対方向にできる。
それで、ＫはＫ１／２として観察される。と理解できた。
地球の引力は、輻射熱によってできると考えた場合、輻射熱を２５℃とすると、１個の光子は６×１０−３７Ｊである。この光子は１原子から毎秒４．５３×１０４個放出して引力になっている。この事は、電子のラブは回転し、毎秒４．５３×１０４個の磁気の光子を作っていることになる。１Ｋｇの物質の引力は、物質から可視光の光子が放出されてできると考えた場合、可視光を２．５×１０−７ｍの軌道の光子とすると、１個の光子は４．４×１０−３５Ｊである。この光子は１原子から毎秒６．１８６×１０２個放出して引力になっている。
それで、原子の中で電子のラブは回転し、毎秒６．１８６×１０２個の磁気の光子を作っていることになる。と理解できた。
この事から、電子のラブは毎秒一定数の磁気の光子を作っている。そして、ある一定の軌道になったとき放出する。この光子が引力になると理解できた。
パルサーから放出している光線と、クエーサーから放出しているジェット噴射の原理は同じである。中で排斥放出した磁気の光子が、自転に垂直な方向に放出したものである。光子のエネルギーが違うだけである事が理解できた。
中性子は電磁石であるから、パルサーには磁場ができる事が理解できた。
【図面の簡単な説明】
【図１】  元素が電磁石と成る原理を示す。陽子のラブと電子のラブは左回転する。これによって、電流は右回転する。磁気の光子は上から中央に入り込みクロス回転する。クロス回転はコイル回転のようになり、電磁石になる。
【図２】  磁力線とそれを作った磁気の光子は相似になっている。内核の鉄の磁気の光子は、内側の磁力線になる。外核の鉄の磁気の光子は、外側の磁力線になる。地殻の元素の磁気の光子は惑星間磁場になる。
【図３】  外核の直径を電子のラブの大きさと見なし、磁力線の軌道を磁気の光子の軌道と見なす。外核の直径：１万Ｋｍの磁力線：２万Ｋｍの磁力線：６万Ｋｍの磁力線：惑星間磁場＝１：２．３５：３．８：９．５４：５７９  である。
【図４】  外核の直径を１とすると、惑星間磁場の軌道は５７９である。この惑星間磁場は地殻の元素の磁気の光子である外側の特性Ｘ線によってできたので、その軌道を１×１０−９ｍとする。そうすると、磁力線はどれ位の軌道の磁気の光子によってできたかが解る。
【図５】  ３８．２６×１０６ｍより内側の磁力線は、内核の鉄の磁気の光子の回転によってできた地磁気である。３８．２６×１０６ｍより外側の磁力線は、外核の鉄の磁気の光子の回転によってできた地磁気である。
【図６】  現在、地球のＳ極は上方向の北極星を向いている。北極星が半回転すると地球も北極星の方向を向いて半回転する。それで、Ｓ極は下の方向を向くようになる。これで、Ｓ極とＮ極は入れ替わる。
【図７】  外核の鉄は液体であるから、橙色から赤色である。その軌道を３×１０−７ｍとする。地表は水が２５℃であるから、６×１０−３７Ｊとする。これによって、地球の軌道エネルギーが解る。
【図８】  輻射熱は２５℃で６×１０−３７Ｊであり、この光子が放出する。原子の中で、電子のラブは回転し、毎秒４．５３×１０４個の磁気の光子を作っている。北極は−１０℃とすると、５．３×１０−３７Ｊの光子が放出する。赤道は３５℃とすると、６．２３５×１０−３７Ｊの光子が放出する。
【図９】  物質からは可視光が放出する。可視光の平均値を２．５×１０−７ｍとすると、４．４×１０−３５Ｊである。原子の中で、電子のラブが回転し、毎秒６．１８６×１０２個の磁気の光子を作っている。その磁気の光子が回転し、エネルギーを小さくし、軌道を大きくし、一定の軌道になったら、原子の外に出発し、光子となり、、引力を作る。
【図１０】  Ｋ＝１．１２×１０９ｍの場合、宇宙の軌道に存在する星の外側の磁気の光子のエネルギー。
【図１１】  太陽から出発する光子が作る引力と、地球から出発する光子が作る引力は逆方向にはたらくので、（１．１２×１０９）１／２ｍ＝３．３７×１０４ｍとなる。
【図１２】  中性子は電子のラブが陽子のラブに近づき、ともに回転している。その周囲を、磁気の光子がクロス回転している。パルサーの自転の垂直方向に、排斥放出した磁気の光子は出る。パルサーが１０ｎ年以前の軌道に居たとするならば、パルサーのエネルギーは太陽のエネルギーの１０８＋ｎ倍である。
【図１３】  ビッグバン後、陽子のラブは回転し、陽子のニュートリノをつくり、その後、陽子の磁気の光子を作った。電子のラブは回転し、電子のニュートリノをつくり、その後、電子の磁気の光子を作った。これらが合体し、水素に成った。クエーサーの自転の垂直方向に、排斥放出した磁気の光子は出る。クエーサーのエネルギーは太陽のエネルギーの１０１４倍である。
【図１４】  太陽圏は太陽から出発した光子の引力により保たれている。
【符号の説明】
１  陽子のラブ      ２  電子のラブ      ３  磁気の光子      ４  内核
５  外核      ６  地殻      ７  内側の磁力線      ８  外側の磁直線
９  惑星間磁場      １０  外核を１とする      １１  １万Ｋｍの磁力線
１２  ２万Ｋｍの磁力線      １３  ６万Ｋｍの磁力線
１４  電子のラブの軌道      １５  磁気の光子の軌道
１６  内核の鉄元素によりできた地磁気      １７  外核の鉄元素によりできた地磁気
１８  北極星      １９  地球      ２０  ２５℃の輻射熱      ２１  −１０℃の光子
２２  ３５℃の光子      ２３  可視光の光子
２４  引力を作るために出発する光子      ２５  宇宙の軌道      ２６  太陽
２７  引力の方向      ２８  中性子      ２９  パルサー
３０  パルサーから放射している光子
３１  陽子のニュートリノ      ３２  陽子の磁気の光子
３３  電子のニュートリノ      ３４′  電子の磁気の光子      ３５  水素
３６  クエーサー      ３７  ジェット噴射
【図１】
2005033998.tif 000009
【図２】
2005033998.tif 000010
【図３】
2005033998.tif 000011
【図４】
2005033998.tif 000012
【図５】
2005033998.tif 000013
【図６】
2005033998.tif 000014
【図７】
2005033998.tif 000015
【図８】
2005033998.tif 000016
【図９】
2005033998.tif 000017
【図１０】
2005033998.tif 000018
【図１１】
2005033998.tif 000019
【図１２】
2005033998.tif 000020
【図１３】
2005033998.tif 000021
【図１４】
2005033998.tif 000022
【手続補正書】
【提出日】平成16年8月10日(2004.8.10)
【手続補正１】
【補正対象書類名】図面
【補正対象項目名】補正の内容のとおり
【補正方法】変更
【補正の内容】
2005033998.tif 000023
2005033998.tif 000024
【手続補正書】
【提出日】平成16年10月19日(2004.10.19)
【手続補正１】
【補正対象書類名】手続補正書
【補正対象項目名】手続補正１
【補正方法】変更
【補正の内容】
【手続補正１】
【補正対象書類名】図面
【補正対象項目名】図１
【補正方法】変更
【補正の内容】
【図１】
2005033998.tif 000025
【手続補正２】
【補正対象書類名】手続補正書
【補正対象項目名】手続補正２
【補正方法】変更
【補正の内容】
【手続補正２】
【補正対象書類名】図面
【補正対象項目名】図２
【補正方法】変更
【補正の内容】
【図２】
2005033998.tif 000026
【手続補正３】
【補正対象書類名】手続補正書
【補正対象項目名】手続補正３
【補正方法】変更
【補正の内容】
【手続補正３】
【補正対象書類名】図面
【補正対象項目名】図３
【補正方法】変更
【補正の内容】
【図３】
2005033998.tif 000027
【手続補正４】
【補正対象書類名】手続補正書
【補正対象項目名】手続補正４
【補正方法】変更
【補正の内容】
【手続補正４】
【補正対象書類名】図面
【補正対象項目名】図４
【補正方法】変更
【補正の内容】
【図４】
2005033998.tif 000028